(57)【要約】【課題】ユーザ毎にカスタマイズすることが可能な画面を、サーバと通信回線に大きな負荷をかけることなく、且つ、ユーザにとって短い待ち時間で、表示することを可能とする。【解決手段】プッシュ型配信に従ってダウンロードしたコンテンツ・オブジェクトを所定の領域に格納するステップと、コンテンツ・オブジェクトにより得られる部分を含んだ画面を表示するための電子文書であって、所定の領域内に格納されたコンテンツ・オブジェクトを、所定の領域の識別情報及びコンテンツ・オブジェクトの識別情報により、予め記述してある電子文書を、プッシュ型配信等に従ってダウンロード等するステップと、電子文書の記述に従って、コンテンツ・オブジェクトを所定の領域から読み出して、コンテンツ・オブジェクトにより得られる部分を含んだ画面を表示するステップを備える。【選択図】図２
2007172044.tif 000002
【特許請求の範囲】
【請求項１】
プッシュ型配信に従ってダウンロードしたプッシュ型コンテンツ・オブジェクトを所定の領域に格納するプッシュ型コンテンツ・オブジェクト・ダウンロード・ステップと、
前記プッシュ型コンテンツ・オブジェクトにより得られる部分を含んだ画面を表示するための電子文書であって、前記所定の領域内に格納された前記プッシュ型コンテンツ・オブジェクトを、前記所定の領域の識別情報及び前記プッシュ型コンテンツ・オブジェクトの識別情報により、予め記述してある電子文書を、プッシュ型配信若しくはプル型配信に従ってダウンロードし又はダウンロード以外の方法で入力する電子文書入力ステップと、
前記電子文書の記述に従って、前記プッシュ型コンテンツ・オブジェクトを前記所定の領域から読み出して、前記プッシュ型コンテンツ・オブジェクトにより得られる部分を含んだ画面を表示する画面表示ステップと、
を備えることを特徴とする画面表示方法。
【請求項２】
請求項１に記載の画面表示方法において、
前記プッシュ型配信に従ったダウンロードは、前記画面の表示が要求される前に行なわれることを特徴とする画面表示方法。
【請求項３】
請求項１に記載の画面表示方法において、
前記プッシュ型配信に従ったダウンロードは、前記プッシュ型コンテンツ・オブジェクトがサーバ上で更新された時に行なわれることを特徴とする画面表示方法。
【請求項４】
請求項１に記載の画面表示方法において、
前記プッシュ型配信に従ったダウンロードは、端末のアイドル時間に行われることを特徴とする画面表示方法。
【請求項５】
請求項１に記載の画面表示方法において、
前記プッシュ型配信に従ったダウンロードは、回線の通信量が少ない時間帯に行われることを特徴とする画面表示方法。
【請求項６】
請求項１に記載の画面表示方法において、前記電子文書も前記所定の領域に格納された場合には、前記所定の領域の識別情報は、明示的な情報又はヌル情報であることを特徴とする画面表示方法。
【請求項７】
請求項１に記載の画面表示方法において、
プル型配信に従ってダウンロードしたプル型コンテンツ・オブジェクトを前記所定の領域に格納するプル型コンテンツ・オブジェクト・ダウンロード・ステップを更に備え、
前記電子文書は、前記プル型コンテンツ・オブジェクトにより得られる部分も含んだ画面を表示するためのものであり、前記電子文書には、前記所定の領域に格納された前記プル型コンテンツ・オブジェクトを、前記所定の領域の識別情報及び前記プル型コンテンツ・オブジェクトの識別情報により、予め記述してあり、
前記画面表示ステップでは、前記電子文書の記述に従って、前記プル型コンテンツ・オブジェクトを前記所定の領域から読み出して、前記プル型コンテンツ・オブジェクトにより得られる部分も含んだ画面を表示することを特徴とする画面表示方法。
【請求項８】
請求項１に記載の画面表示方法において、
ダウンロード以外の方法で入力した非ダウンロード型コンテンツ・オブジェクトを前記所定の領域に格納する非ダウンロード型コンテンツ・オブジェクト格納ステップを更に備え、
前記電子文書は、前記非ダウンロード型コンテンツ・オブジェクトにより得られる部分も含んだ画面を表示するためのものであり、前記電子文書には、前記所定の領域に格納された前記非ダウンロード型コンテンツ・オブジェクトを、前記所定の領域の識別情報及び前記非ダウンロード型コンテンツ・オブジェクトの識別情報により、予め記述してあり、
前記画面表示ステップでは、前記電子文書の記述に従って、前記非ダウンロード型コンテンツ・オブジェクトを前記所定の領域から読み出して、前記非ダウンロード型コンテンツ・オブジェクトにより得られる部分も含んだ画面を表示することを特徴とする画面表示方法。
【請求項９】
請求項１に記載の画面表示方法において、
前記電子文書は、プル型配信に従ってダウンロードされたプル型コンテンツ・オブジェクトにより得られる部分も含んだ画面を表示するためのものであり、
前記電子文書には、前記プル型コンテンツ・オブジェクトを、前記プル型コンテンツ・オブジェクトが存在するネットワーク上の位置の識別情報及び前記プル型コンテンツ・オブジェクトの識別情報により、予め記述してあり、
前記電子文書の記述に従って、前記プル型コンテンツ・オブジェクトを前記ネットワーク上の位置からプル型配信に従ってダウンロードするステップを更に備え、
前記画面表示ステップでは、前記プル型コンテンツ・オブジェクトにより得られる部分も含んだ画面を表示することを特徴とする画面表示方法。
【請求項１０】
請求項１に記載の画面表示方法において、
前記プッシュ型配信に従ったダウンロードは、ダウンロードのためのメッセージを端末が受信することにより起動されることを特徴とする画面表示方法。
【請求項１１】
請求項１０に記載の画面表示方法において、
前記プッシュ型コンテンツ・オブジェクトが更新された時に、前記プッシュ型コンテンツ・オブジェクトの更新と前記メッセージの送信とを合わせて管理する管理サーバ、前記プッシュ型コンテンツ・オブジェクトの更新の報告を受ける管理サーバ又は前記プッシュ型コンテンツ・オブジェクトの更新を監視する管理サーバが行なう制御により、前記メッセージを前記端末に送信することを特徴とする画面表示方法。
【請求項１２】
請求項１０に記載の画面表示方法において、
前記メッセージには、前記プッシュ型コンテンツ・オブジェクトが存在するネットワーク上の位置の識別情報及び前記プッシュ型コンテンツ・オブジェクトの識別情報が含まれていることを特徴とする画面表示方法。
【請求項１３】
請求項１に記載の画面表示方法において、
同一のカテゴリの画面について、前記所定の領域は、複数設けられ、
前記プッシュ型コンテンツ・オブジェクト・ダウンロード・ステップでは、前記複数の所定の領域のうちの少なくとも選択された所定の領域にプッシュ型コンテンツ・オブジェクトを格納し、
前記画面表示ステップでは、前記複数の所定の領域のうちの選択された所定の領域から前記プッシュ型コンテンツ・オブジェクトを読み出すことを特徴とする画面表示方法。
【請求項１４】
請求項１３に記載の画面表示方法において、
前記複数の所定の領域のうちの特定の所定の領域に格納されているコンテンツ・オブジェクトのうちの少なくとも一部のコンテンツ・オブジェクトは、前記プッシュ型配信に従ったダウンロードの対象から外されることを特徴とする画面表示方法。
【請求項１５】
請求項１３に記載の画面表示方法において、
同一の識別情報を有するプッシュ型コンテンツ・オブジェクトが、前記複数の領域の各領域毎に格納され、
前記画面表示ステップでは、前記電子文書の記述に従って、前記同一の識別情報を有する前記プッシュ型コンテンツ・オブジェクトを前記複数の所定の領域のうちの選択された所定の領域から読み出すことを特徴とする画面表示方法。
【請求項１６】
請求項１に記載の画面表示方法において、
前記所定の領域のディレクトリ情報と前記所定の領域が指定されたことを示す情報との対応関係を保持しておく対応関係保持ステップを更に備え、
前記プッシュ型コンテンツ・オブジェクトを前記所定の領域への格納するとき、及び、前記プッシュ型コンテンツ・オブジェクトを前記所定の領域からの読み出すときには、前記対応関係を参照することを特徴とする画面表示方法。
【請求項１７】
プッシュ型配信に従ってダウンロードしたプッシュ型コンテンツ・オブジェクトを所定の領域に格納するプッシュ型コンテンツ・オブジェクト・ダウンロード手段と、
前記プッシュ型コンテンツ・オブジェクトにより得られる部分を含んだ画面を表示するための電子文書であって、前記所定の領域内に格納された前記プッシュ型コンテンツ・オブジェクトを、前記所定の領域の識別情報及び前記プッシュ型コンテンツ・オブジェクトの識別情報により、予め記述してある電子文書を、プッシュ型配信若しくはプル型配信に従ってダウンロードし又はダウンロード以外の方法で入力する電子文書入力手段と、
前記電子文書の記述に従って、前記プッシュ型コンテンツ・オブジェクトを前記所定の領域から読み出して、前記プッシュ型コンテンツ・オブジェクトにより得られる部分を含んだ画面を表示する画面表示手段と、
を備えることを特徴とする画面表示装置。
【請求項１８】
請求項１７に記載の画面表示装置において、
前記プッシュ型配信に従ったダウンロードは、前記画面の表示が要求される前に行なわれることを特徴とする画面表示装置。
【請求項１９】
請求項１７に記載の画面表示装置において、
前記プッシュ型配信に従ったダウンロードは、前記プッシュ型コンテンツ・オブジェクトがサーバ上で更新された時に行なわれることを特徴とする画面表示装置。
【請求項２０】
請求項１７に記載の画面表示装置において、
前記プッシュ型配信に従ったダウンロードは、端末のアイドル時間に行われることを特徴とする画面表示装置。
【請求項２１】
請求項１７に記載の画面表示装置において、
前記プッシュ型配信に従ったダウンロードは、回線の通信量が少ない時間帯に行われることを特徴とする画面表示装置。
【請求項２２】
請求項１７に記載の画面表示装置において、前記電子文書も前記所定の領域に格納された場合には、前記所定の領域の識別情報は、明示的な情報又はヌル情報であることを特徴とする画面表示装置。
【請求項２３】
請求項１７に記載の画面表示装置において、
プル型配信に従ってダウンロードしたプル型コンテンツ・オブジェクトを前記所定の領域に格納するプル型コンテンツ・オブジェクト・ダウンロード手段を更に備え、
前記電子文書は、前記プル型コンテンツ・オブジェクトにより得られる部分も含んだ画面を表示するためのものであり、前記電子文書には、前記所定の領域に格納された前記プル型コンテンツ・オブジェクトを、前記所定の領域の識別情報及び前記プル型コンテンツ・オブジェクトの識別情報により、予め記述してあり、
前記画面表示手段は、前記電子文書の記述に従って、前記プル型コンテンツ・オブジェクトを前記所定の領域から読み出して、前記プル型コンテンツ・オブジェクトにより得られる部分も含んだ画面を表示することを特徴とする画面表示装置。
【請求項２４】
請求項１７に記載の画面表示装置において、
ダウンロード以外の装置で入力した非ダウンロード型コンテンツ・オブジェクトを前記所定の領域に格納する非ダウンロード型コンテンツ・オブジェクト格納手段を更に備え、
前記電子文書は、前記非ダウンロード型コンテンツ・オブジェクトにより得られる部分も含んだ画面を表示するためのものであり、前記電子文書には、前記所定の領域に格納された前記非ダウンロード型コンテンツ・オブジェクトを、前記所定の領域の識別情報及び前記非ダウンロード型コンテンツ・オブジェクトの識別情報により、予め記述してあり、
前記画面表示手段は、前記電子文書の記述に従って、前記非ダウンロード型コンテンツ・オブジェクトを前記所定の領域から読み出して、前記非ダウンロード型コンテンツ・オブジェクトにより得られる部分も含んだ画面を表示することを特徴とする画面表示装置。
【請求項２５】
請求項１７に記載の画面表示装置において、
前記電子文書は、プル型配信に従ってダウンロードされたプル型コンテンツ・オブジェクトにより得られる部分も含んだ画面を表示するためのものであり、
前記電子文書には、前記プル型コンテンツ・オブジェクトを、前記プル型コンテンツ・オブジェクトが存在するネットワーク上の位置の識別情報及び前記プル型コンテンツ・オブジェクトの識別情報により、予め記述してあり、
前記電子文書の記述に従って、前記プル型コンテンツ・オブジェクトを前記ネットワーク上の位置からプル型配信に従ってダウンロードする手段を更に備え、
前記画面表示手段は、前記プル型コンテンツ・オブジェクトにより得られる部分も含んだ画面を表示することを特徴とする画面表示装置。
【請求項２６】
請求項１７に記載の画面表示装置において、
前記プッシュ型配信に従ったダウンロードは、ダウンロードのためのメッセージを端末が受信することにより起動されることを特徴とする画面表示装置。
【請求項２７】
請求項２６に記載の画面表示装置において、
前記プッシュ型コンテンツ・オブジェクトが更新された時に、前記プッシュ型コンテンツ・オブジェクトの更新と前記メッセージの送信とを合わせて管理する管理サーバ、前記プッシュ型コンテンツ・オブジェクトの更新の報告を受ける管理サーバ又は前記プッシュ型コンテンツ・オブジェクトの更新を監視する管理サーバであって、前記メッセージを前記端末に送信することを制御する管理サーバを更に備えることを特徴とする画面表示システム。
【請求項２８】
請求項２６に記載の画面表示装置において、
前記メッセージには、前記プッシュ型コンテンツ・オブジェクトが存在するネットワーク上の位置の識別情報及び前記プッシュ型コンテンツ・オブジェクトの識別情報が含まれていることを特徴とする画面表示装置。
【請求項２９】
請求項１７に記載の画面表示装置において、
同一のカテゴリの画面について、前記所定の領域は、複数設けられ、
前記プッシュ型コンテンツ・オブジェクト・ダウンロード手段は、前記複数の所定の領域のうちの少なくとも選択された所定の領域にプッシュ型コンテンツ・オブジェクトを格納し、
前記画面表示手段は、前記複数の所定の領域のうちの選択された所定の領域から前記プッシュ型コンテンツ・オブジェクトを読み出すことを特徴とする画面表示装置。
【請求項３０】
請求項２９に記載の画面表示装置において、
前記複数の所定の領域のうちの特定の所定の領域に格納されているコンテンツ・オブジェクトのうちの少なくとも一部のコンテンツ・オブジェクトは、前記プッシュ型配信に従ったダウンロードの対象から外されることを特徴とする画面表示装置。
【請求項３１】
請求項２９に記載の画面表示装置において、
同一の識別情報を有するプッシュ型コンテンツ・オブジェクトが、前記複数の領域の各領域毎に格納され、
前記画面表示手段は、前記電子文書の記述に従って、前記同一の識別情報を有する前記プッシュ型コンテンツ・オブジェクトを前記複数の所定の領域のうちの選択された所定の領域から読み出すことを特徴とする画面表示装置。
【請求項３２】
請求項１７に記載の画面表示装置において、
前記所定の領域のディレクトリ情報と前記所定の領域が指定されたことを示す情報との対応関係を保持しておく対応関係保持手段を更に備え、
前記プッシュ型コンテンツ・オブジェクトを前記所定の領域への格納するとき、及び、前記プッシュ型コンテンツ・オブジェクトを前記所定の領域からの読み出すときには、前記対応関係を参照することを特徴とする画面表示装置。
【請求項３３】
コンピュータに請求項１乃至１６の何れか１項に記載の画面表示方法を行なわせるためのプログラム。
【請求項３４】
請求項１７乃至２６の何れか１項又は請求項２８乃至３２の何れか１項に記載の画面表示装置を備える端末。
【発明の詳細な説明】
【技術分野】
【０００１】
本発明は、画面を表示するための画面表示方法及び画面表示装置に関し、特に、電子文書及びこの電子文書で指定されているコンテンツ・オブジェクトに基づいて、画面を表示するための画面表示方法及び画面表示装置に関する。
【背景技術】
【０００２】
携帯電話機においては、待機時間（すなわち、通話、通信が行なわれていない時間。）では、待受画面が表示されている。また、ユーザが携帯電話機の機能（電話帳機能、通話機能、メール機能、ＷＥＢ機能、カメラ機能、各種パラメータ設定機能等）を呼び出すための機能メニュー画面も用意されており、ユーザは、メニュー画面から所望の機能を選択することができる。更に、携帯電話機がブラウザを起動した直後には、ＷＥＢメニュー画面が表示され、ユーザは、このＷＥＢメニュー画面からリンクを辿り目的のＷＥＢページにアクセスすることができる。例えば非特許文献１で説明されている「Ｖｏｄａｆｏｎｅ  ｌｉｖｅ！」の初期画面がＷＥＢメニュー画面に相当する。
【非特許文献１】「Ｖｏｄａｆｏｎｅ  ｌｉｖｅ！」［平成１７年１１月９日検索］、インターネット＜URL： http://www.vodafone.jp/japanese/live/index.html＞
【発明の開示】
【発明が解決しようとする課題】
【０００３】
待受画面は、通常、ユーザによりカスタマイズすることが可能となっており、例えば、自分の好みのテーマのコンテンツ・オブジェクトをダウンロードして、そのテーマのコンテンツ・オブジェクトを待受画面に表示することができる。また、壁紙として自分の好みの画像を選択することもできる。しかし、ユーザが待受画面をカスタマイズすることができる程度は限られている。機能メニュー画面についても同様である。そこで、ユーザが、待受画面や機能メニューを、簡易的には、対話式によりセミカスタマイズしたり、潜在的には、完全にカスタマイズすることを可能にするためには、例えば、ＷＥＢページと同様に、ＨＴＭＬ等のユーザが作成又は編集することが可能な電子文書により、待受画面や機能メニュー画面を生成することが考えられる。
【０００４】
また、ＷＥＢメニュー画面は、プル型配信に従ってダウンロードされる。従って、ＷＥＢサーバ上でＷＥＢメニュー画面を構成するためのコンテンツ・オブジェクトが更新された場合に、携帯電話機においても、更新後のＷＥＢメニュー画面を表示できるようにするためには、携帯電話機は、ＷＥＢメニュー画面を構成するためのコンテンツ・オブジェクトを新たにダウンロードする必要が生じる。ＷＥＢ上でコンテンツ・オブジェクトプロバイダ等が提供するＷＥＢ画面についても同様である。
【０００５】
待受画面、機能メニュー画面、ＷＥＢメニュー画面又は他のＷＥＢ画面等を表示するためのＷＥＢページの容量が増えると、ブラウザがそれをダウンロードして、表示するための時間が長くなる。これを解決するために、例えば、以下の技術が用いられる。
【０００６】
すなわち、ブラウザ側にキャッシュ・メモリを設ける。そして、ブラウザは、ユーザからの要求などに従って、ＷＥＢサーバから一度ダウンロードしたＷＥＢページをキャッシュ・メモリに格納する。その後、ブラウザは、ユーザによりそのＷＥＢページの表示を再度要求された場合に、そのＷＥＢページをＷＥＢサーバからダウンロードせずに、キャッシュ・メモリから読み出して、表示する。こうすることにより、ダウンロードに要する時間を省略することができる。
【０００７】
しかし、この技術では、キャッシュ・メモリに格納されたＷＥＢページが、ＷＥＢサーバにおいて更新された場合には、ブラウザは、更新されたＷＥＢページをダウンロードする必要がある。従って、これを避けるためには、通信事業者やコンテンツ・オブジェクトプロバイダは、ＷＥＢページを頻繁に更新することができない。
【０００８】
また、キャッシュ・メモリを利用した場合であっても、ブラウザが更新されたＷＥＢページをＷＥＢサーバからダウンロードできるようにするためには、例えば、以下の２種類の技術が用いられる。
【０００９】
第１の技術においては、ＷＥＢサーバは、ブラウザにより要求されたＷＥＢページと共に、そのＷＥＢページの失効日時をブラウザに送信する。ブラウザは、ＷＥＢページと共に失効日時もキャッシュ・メモリなどに格納する。その後、ユーザによりそのＷＥＢページの表示を再度要求された時に、その日時が失効日時より前であるか否かを判断し、そうであれば、ＷＥＢページをキャッシュ・メモリから読み出し、そうでなければ、ＷＥＢページをＷＥＢサーバからダウンロードする。この技術によれば、失効日時より前にＷＥＢサーバ上でＷＥＢページが更新されても、失効日時が来ない限り、ブラウザは、更新されたＷＥＢページをダウンロードすることができない。従って、これをできる限り避けるためには、運用者は、失効日時を早期な日時に設定しなければならない。また、逆に、失効日時経過後にＷＥＢサーバ上でＷＥＢページが更新されなくても、失効日時経過後にユーザによりそのＷＥＢページの表示を再度要求された時には、ブラウザは、同一のＷＥＢページをダウンロードすることとなる。従って、運用者は、無駄な通信を抑えるためには、過度に失効日時を早期な日時に設定することができない。
【００１０】
第２の技術においては、ＷＥＢサーバは、ブラウザにＷＥＢページを送信するが、そのＷＥＢページの失効日時をブラウザに送信しない。ブラウザは、ダウンロードしたＷＥＢページをキャッシュ・メモリに格納すると共に、ＷＥＢページをダウンロードした日時（ダウンロード日時）を内部時計等から取得し、キャッシュ・メモリ等に格納する。その後、ユーザによりそのＷＥＢページの表示を再度要求された時に、ブラウザは、そのＷＥＢページの送信をＷＥＢサーバに要求するが、その要求にダウンロード日時と失効確認要求を付加する。ＷＥＢサーバは、ＷＥＢページが更新されて現在のものとなった日時（更新日時）を保持しており、ダウンロード日時と更新日時を比較する。ダウンロード日時が更新日時以降である場合には、ブラウザ側のキャッシュ・メモリに格納されているＷＥＢページが最新のものであるので、ＷＥＢサーバは、「有効」であるというメッセージのみをブラウザに送信する。他方、ダウンロード日時が更新日時より早い場合には、ブラウザ側のキャッシュ・メモリに格納されているＷＥＢページが古いものであるので、ＷＥＢサーバは、最新のＷＥＢページをブラウザに送信する。この第２の技術は、上述した第１の技術が有する問題点を有しない。しかし、端末の演算量及び端末とＷＥＢサーバとの間の通信セッションが増えてしまい、結果として、ＷＥＢページが表示されるまでの時間が長くなってしまう。
【００１１】
また、各ユーザが、自分の好みに従って、ＷＥＢページのレイアウト、ＷＥＢページに掲載するコンテンツ・オブジェクトの種類をカスタマイズするためには、ＷＥＢサーバ側では、各ユーザ毎にそのようなＷＥＢページを作成するための処理をしなければならない。数千万人のユーザ一人ひとりに対してカスタマイズしたＷＥＢページを構成するための電子文書やコンテンツ・オブジェクトを個々に提供するならば、処理量と通信量は莫大なものとなってしまう。
【００１２】
そこで、本発明は、ユーザ毎にカスタマイズすることが可能な画面を、サーバと通信回線に大きな負荷をかけることなく、且つ、ユーザにとって短い待ち時間で、表示することを可能とする画面表示方法及び画面表示装置を提供することを目的とする。
【課題を解決するための手段】
【００１３】
本発明によれば、プッシュ型配信に従ってダウンロードしたプッシュ型コンテンツ・オブジェクトを所定の領域に格納するプッシュ型コンテンツ・オブジェクト・ダウンロード・ステップと、前記プッシュ型コンテンツ・オブジェクトにより得られる部分を含んだ画面を表示するための電子文書であって、前記所定の領域内に格納された前記プッシュ型コンテンツ・オブジェクトを、前記所定の領域の識別情報及び前記プッシュ型コンテンツ・オブジェクトの識別情報により、予め記述してある電子文書を、プッシュ型配信若しくはプル型配信に従ってダウンロードし又はダウンロード以外の方法で入力する電子文書入力ステップと、前記電子文書の記述に従って、前記プッシュ型コンテンツ・オブジェクトを前記所定の領域から読み出して、前記プッシュ型コンテンツ・オブジェクトにより得られる部分を含んだ画面を表示する画面表示ステップと、を備えることを特徴とする画面表示方法が提供される。
【００１４】
上記の画面表示方法において、前記プッシュ型配信に従ったダウンロードは、前記画面の表示が要求される前に行なわれるようにしてもよい。
【００１５】
上記の画面表示方法において、前記プッシュ型配信に従ったダウンロードは、前記プッシュ型コンテンツ・オブジェクトがサーバ上で更新された時に行なわれるようにしてもよい。
【００１６】
上記の画面表示方法において、前記プッシュ型配信に従ったダウンロードは、端末のアイドル時間に行われるようにしてもよい。
【００１７】
上記の画面表示方法において、前記プッシュ型配信に従ったダウンロードは、回線の通信量が少ない時間帯に行われるようにしてもよい。
【００１８】
上記の画面表示方法において、前記電子文書も前記所定の領域に格納された場合には、前記所定の領域の識別情報は、明示的な情報又はヌル情報であるようにしてもよい。
【００１９】
上記の画面表示方法において、プル型配信に従ってダウンロードしたプル型コンテンツ・オブジェクトを前記所定の領域に格納するプル型コンテンツ・オブジェクト・ダウンロード・ステップを更に備え、前記電子文書は、前記プル型コンテンツ・オブジェクトにより得られる部分も含んだ画面を表示するためのものであり、前記電子文書には、前記所定の領域に格納された前記プル型コンテンツ・オブジェクトを、前記所定の領域の識別情報及び前記プル型コンテンツ・オブジェクトの識別情報により、予め記述してあり、前記画面表示ステップでは、前記電子文書の記述に従って、前記プル型コンテンツ・オブジェクトを前記所定の領域から読み出して、前記プル型コンテンツ・オブジェクトにより得られる部分も含んだ画面を表示するようにしてもよい。
【００２０】
上記の画面表示方法において、ダウンロード以外の方法で入力した非ダウンロード型コンテンツ・オブジェクトを前記所定の領域に格納する非ダウンロード型コンテンツ・オブジェクト格納ステップを更に備え、前記電子文書は、前記非ダウンロード型コンテンツ・オブジェクトにより得られる部分も含んだ画面を表示するためのものであり、前記電子文書には、前記所定の領域に格納された前記非ダウンロード型コンテンツ・オブジェクトを、前記所定の領域の識別情報及び前記非ダウンロード型コンテンツ・オブジェクトの識別情報により、予め記述してあり、前記画面表示ステップでは、前記電子文書の記述に従って、前記非ダウンロード型コンテンツ・オブジェクトを前記所定の領域から読み出して、前記非ダウンロード型コンテンツ・オブジェクトにより得られる部分も含んだ画面を表示するようにしてもよい。
【００２１】
上記の画面表示方法において、前記電子文書は、プル型配信に従ってダウンロードされたプル型コンテンツ・オブジェクトにより得られる部分も含んだ画面を表示するためのものであり、前記電子文書には、前記プル型コンテンツ・オブジェクトを、前記プル型コンテンツ・オブジェクトが存在するネットワーク上の位置の識別情報及び前記プル型コンテンツ・オブジェクトの識別情報により、予め記述してあり、前記電子文書の記述に従って、前記プル型コンテンツ・オブジェクトを前記ネットワーク上の位置からプル型配信に従ってダウンロードするステップを更に備え、前記画面表示ステップでは、前記プル型コンテンツ・オブジェクトにより得られる部分も含んだ画面を表示するようにしてもよい。
【００２２】
上記の画面表示方法において、前記プッシュ型配信に従ったダウンロードは、ダウンロードのためのメッセージを端末が受信することにより起動されるようにしてもよい。
【００２３】
上記の画面表示方法において、前記プッシュ型コンテンツ・オブジェクトが更新された時に、前記プッシュ型コンテンツ・オブジェクトの更新と前記メッセージの送信とを合わせて管理する管理サーバ、前記プッシュ型コンテンツ・オブジェクトの更新の報告を受ける管理サーバ又は前記プッシュ型コンテンツ・オブジェクトの更新を監視する管理サーバが行なう制御により、前記メッセージを前記端末に送信するようにしてもよい。
【００２４】
上記の画面表示方法において、前記メッセージには、前記プッシュ型コンテンツ・オブジェクトが存在するネットワーク上の位置の識別情報及び前記プッシュ型コンテンツ・オブジェクトの識別情報が含まれているようにしてもよい。
【００２５】
上記の画面表示方法において、同一のカテゴリの画面について、前記所定の領域は、複数設けられ、前記プッシュ型コンテンツ・オブジェクト・ダウンロード・ステップでは、前記複数の所定の領域のうちの少なくとも選択された所定の領域にプッシュ型コンテンツ・オブジェクトを格納し、前記画面表示ステップでは、前記複数の所定の領域のうちの選択された所定の領域から前記プッシュ型コンテンツ・オブジェクトを読み出すようにしてもよい。
【００２６】
上記の画面表示方法において、前記複数の所定の領域のうちの特定の所定の領域に格納されているコンテンツ・オブジェクトのうちの少なくとも一部のコンテンツ・オブジェクトは、前記プッシュ型配信に従ったダウンロードの対象から外されるようにしてもよい。
【００２７】
上記の画面表示方法において、同一の識別情報を有するプッシュ型コンテンツ・オブジェクトが、前記複数の領域の各領域毎に格納され、前記画面表示ステップでは、前記電子文書の記述に従って、前記同一の識別情報を有する前記プッシュ型コンテンツ・オブジェクトを前記複数の所定の領域のうちの選択された所定の領域から読み出すようにしてもよい。
【００２８】
上記の画面表示方法において、前記所定の領域のディレクトリ情報と前記所定の領域が指定されたことを示す情報との対応関係を保持しておく対応関係保持ステップを更に備え、前記プッシュ型コンテンツ・オブジェクトを前記所定の領域への格納するとき、及び、前記プッシュ型コンテンツ・オブジェクトを前記所定の領域からの読み出すときには、前記対応関係を参照するようにしてもよい。
【発明の効果】
【００２９】
本発明によれば、プッシュ型配信に従ってダウンロードしたプッシュ型コンテンツ・オブジェクトを所定の領域に格納するプッシュ型コンテンツ・オブジェクト・ダウンロード・ステップと、前記プッシュ型コンテンツ・オブジェクトにより得られる部分を含んだ画面を表示するための電子文書であって、前記所定の領域内に格納された前記プッシュ型コンテンツ・オブジェクトを、前記所定の領域の識別情報及び前記プッシュ型コンテンツ・オブジェクトの識別情報により、予め記述してある電子文書を、プッシュ型配信若しくはプル型配信に従ってダウンロードし又はダウンロード以外の方法で入力する電子文書入力ステップと、前記電子文書の記述に従って、前記プッシュ型コンテンツ・オブジェクトを前記所定の領域から読み出して、前記プッシュ型コンテンツ・オブジェクトにより得られる部分を含んだ画面を表示する画面表示ステップと、を備えるので、プッシュ型コンテンツ・オブジェクトの所定の領域への格納と、電子文書の入力（ダウンロードによる入力を含む）とを独立に行なうことが可能となり、従って、個々のプッシュ型コンテンツ・オブジェクトの所定の領域への格納と、電子文書の入力（ダウンロードによる入力を含む）とを別々の時間に行なうことが可能となる。従って、運用により、プッシュ型コンテンツ・オブジェクトの容量、サーバの負荷、通信回線の負荷等を考慮して、それぞれの格納時間乃至入力時間を、適切に設けることが可能となる。
【発明を実施するための最良の形態】
【００３０】
以下、図面を参照して本発明を実施するための最良の形態について詳細に説明する。
【００３１】
本実施形態では、端末は、電子文書及びそこに画面表示することが記述されているコンテンツ・オブジェクトにより画面を生成し、それを表示する。端末は、携帯電話機、パーソナル・コンピュータ、ＰＤＡ(Personal Digital Assistant)等である。電子文書は、ＨＴＭＬ文書等のマークアップ言語により記述された文書等である。コンテンツ・オブジェクトは、静止画、動画、文字等である。電子文書も一種のコンテンツ・オブジェクトであり、以下の説明では、電子文書が明示的に除外されていたり、他のコンテンツ・オブジェクトと区別して記載されていない限り、電子文書を明示的に記載していなくても、コンテンツ・オブジェクトには電子文書も含まれている。また、レイアウト等を記述したＣＳＳ(Cascading Style Sheet)もコンテンツ・オブジェクトの一種である。また、コンテンツ・オブジェクトは、音声を出力するものであってもよいが、以下の説明では特に言及しない限り省略する。
【００３２】
［コンテンツ・オブジェクト］
画面を構成するためのコンテンツ・オブジェクトを格納するためのフォルダ（以下、「コンテンツ・オブジェクト・フォルダ」という。）が端末内のメモリや端末に接続されたメモリに設けられる。そして、コンテンツ・オブジェクト・フォルダに、プッシュ型配信に従ってダウンロードしたプッシュ型コンテンツ・オブジェクトが格納される。また、コンテンツ・オブジェクト・フォルダには、プル型配信に従ってダウンロードしたプル型コンテンツ・オブジェクトを格納しても良いし、ダウンロード以外の方法で入力した非ダウンロード型コンテンツ・オブジェクトを格納しても良い。
【００３３】
プッシュ型配信に従ったダウンロードとは、サーバが起こした契機に従って行なわれるダウンロードのことである。ここで、サーバは、例えば、後述する管理サーバである。
【００３４】
プル型配信に従ったダウンロードとは、端末が起こした契機に従って行なわれるダウンロードのことである。
非ダウンロード型コンテンツ・オブジェクトは、例えば、端末に内蔵されているカメラが撮影した静止画ファイル又は動画ファイル、端末に内蔵されているマイクが録音した音声ファイル、端末に挿入されたメモリ・カードから入力したコンテンツ・オブジェクト、端末に接続された他の機器から入力したコンテンツ・オブジェクト等である。
【００３５】
［コンテンツ・オブジェクト・フォルダ］
端末は、コンテンツ・オブジェクト・フォルダの位置を示すディレクトリ情報とコンテンツ・オブジェクト・フォルダを指し示すための予め決められた名称（以下、「コンテンツ・オブジェクト・フォルダ名」という。）との対応関係を内部のメモリ等に保持する。これにより、コンテンツ・オブジェクト・フォルダ内のコンテンツ・オブジェクトをコンテンツ・オブジェクト・フォルダ名及びコンテンツ・オブジェクトの識別情報（例えば、ファイル名）の組により特定できるようにする。コンテンツ・オブジェクト・フォルダ名は、例えば、「vf://」というように、コンテンツ・オブジェクト・フォルダにアクセスするためのプロトコル名のみが記述されたものであってもよい。端末にインストールされたＷＥＢブラウザは、例えば、「vf://idle.htm」が指定されれば、コンテンツ・オブジェクト・フォルダにある「idle.htm」という名称のＨＴＭＬ文書を読み出し、また、「vf://wallpaper.jpg」が指定されれば、コンテンツ・オブジェクトにある「wallpaper.jpg」という名称のｊｐｅｇファイルを読み出す。また、コンテンツ・オブジェクト・フォルダ内のコンテンツ・オブジェクトにアクセスするプログラムも、この対応関係を参照して、正しくコンテンツ・オブジェクト・フォルダを認識することが可能となる。
【００３６】
また、このようなコンテンツ・オブジェクト・フォルダの位置を示すディレクトリ情報とコンテンツ・オブジェクト・フォルダを指し示すための予め決められた名称との対応関係を、同一通信事業者の全ての端末の間で共通とする。こうすることにより、異なったメーカや異なった機種でルートとするフォルダが異なっている場合であっても、同一通信事業者の全ての端末は、コンテンツ・オブジェクト・フォルダを間違いなく認識することが可能となる。
【００３７】
また、コンテンツ・オブジェクト・フォルダ以外のフォルダやルート・ディレクトリに格納されているコンテンツ・オブジェクトをコンテンツ・オブジェクト・フォルダにコピー又は移動することにより、コンテンツ・オブジェクト・フォルダ名とコンテンツ・オブジェクトのファイル名の組により、そのコンテンツ・オブジェクトにアクセスすることが可能となる。また、ユーザが指定するあるフォルダにあるコンテンツ・オブジェクトをコンテンツ・オブジェクト・フォルダにコピー又は移動するためのユーティリティを端末にインストールしておき、コピー先又は移動先としてコンテンツ・オブジェクト・フォルダを指定しなくても、コピー又は移動したいコンテンツ・オブジェクトがあるフォルダとそのコンテンツ・オブジェクトを指定するだけで、コピー又は移動ができるようにしておいてもよい。そうすれば、コピー先又は移動先を間違えることが無くなる。
【００３８】
［ダウンロードの方法とタイミング］
端末は、表示画面のフレームワークとなる電子文書と非同期で、表示画面に含まれるべきコンテンツ・オブジェクトを、ダウンロードする。特に、端末は、表示画面のフレームワークとなる電子文書をダウンロードする前に、表示画面に含まれるコンテンツ・オブジェクトを、ダウンロードしてもよい。例えば、管理サーバは、どの端末にどの電子文書とどのコンテンツ・オブジェクトをダウンロードさせるべきであるのか把握しており、或る電子文書や或るコンテンツ・オブジェクトがサーバ上で更新されたことを認識したならば、更新された電子文書や更新されたコンテンツ・オブジェクトを端末がコンテンツ・サーバからダウンロードするための情報（ＵＲＬ等）を含んだショート・メッセージを該当する端末に送信する。そのショート・メッセージを受信した端末は、そこに含まれている情報に従って、電子文書やコンテンツ・オブジェクトをコンテンツ・サーバからダウンロードする。これは、全体で見ると、プッシュ型配信に従ったダウンロードである。また、管理サーバは、ショート・メッセージの送信を、コンテンツ・オブジェクト等の更新を把握した直後に行なうのではなく、把握した後に、回線の通信量が所定値より少ないことが見積もられ、又は、検出された時間帯（例えば、夜間や早朝）まで待ってから、行なうようにしても良い。こうすることにより、大容量のコンテンツ・オブジェクトを通信回線を圧迫することなく端末にダウンロードさせることが可能となる。また、端末は、ダウンロードを、ショート・メッセージを受信した直後に行なうのではなく、ショート・メッセージを受信してから初めて待機状態になった時に、行なうようにしてもよい。従って、ダウンロードは、回線の通信量が所定値より少ないことが見積もられ、又は、検出された時間帯中の端末が待機状態である時間のみに行なわれるようになる場合もある。
【００３９】
また、１つの表示画面を構成する電子文書と各コンテンツ・オブジェクトは、一般には、個々に更新される。従って、ダウンロードも個々に行なわれ、ダウンロードの時間も、別々である。従って、例えば、ニュースを表すコンテンツ・オブジェクトがサーバ上で頻繁に更新されるならば、そのコンテンツ・オブジェクトは頻繁に単独でダウンロードされる。
【００４０】
［ダウンロードから表示までの方法］
管理サーバからの指示に従って、プッシュ・プロキシ・ゲートウェイが、表示画面に挿入するべきコンテンツ・オブジェクトのＵＲＬを、例えば、ショート・メッセージを利用して、端末に送信する。端末には、ダウンロード・エージェントがインストールされており、このダウンロード・エージェントが、そのＵＲＬに従って、コンテンツ・オブジェクト・サーバからコンテンツ・オブジェクトをダウンロードする。ダウンロードされたコンテンツ・オブジェクトは、デジタル・ライト・マネジメント部を経由して、コンテンツ・オブジェクト・フォルダに格納される。このようにしてコンテンツ・オブジェクト・フォルダに格納されたコンテンツ・オブジェクトは、上述したように、コンテンツ・オブジェクト・フォルダ名とコンテンツ・オブジェクトのファイル名の組（例えば、「vf://wallapper.jpg」）により特定される。電子文書に、この組が記述されており、ブラウザは、この記述に従って、コンテンツ・オブジェクト・フォルダからコンテンツ・オブジェクトを読み出す。
【００４１】
なお、電子文書に従来技術の記述方法に従って（ＵＲＬにより）コンテンツ・オブジェクトが指定されている場合には、ブラウザは、そのＵＲＬに従って、ＷＥＢサーバからコンテンツ・オブジェクトをダウンロードする。従って、コンテンツ・オブジェクト・フォルダに格納されているコンテンツ・オブジェクトをコンテンツ・オブジェクトのファイル名だけでなく、コンテンツ・オブジェクト・フォルダ名とコンテンツ・オブジェクトのファイル名の組により指定することにより、ブラウザは、コンテンツ・オブジェクト・フォルダに格納されているコンテンツ・オブジェクトとＷＥＢサーバに格納されているコンテンツ・オブジェクトとを区別することができるようになる。なお、単に、コンテンツ・オブジェクトのファイル名のみでコンテンツ・オブジェクトが指定されている場合には、相対アドレスでコンテンツ・オブジェクトの位置が指定されていると解釈される。例えば、電子文書もコンテンツ・オブジェクトもコンテンツ・オブジェクト・フォルダに格納されていて、コンテンツ・オブジェクトのファイル名のみが電子文書に記述されている場合には、コンテンツ・オブジェクト・フォルダに格納されているコンテンツ・オブジェクトがアクセスされるようになる。
【００４２】
［待受画面と機能メニュー画面（コンテンツの種類とダインロードのタイミング）］
待受画面の場合には、端末が圏外に存在する時にも、最新の画面を表示できるようにする必要がある。従って、画面の表示の開始要求をトリガとして、待受画面を構成するための電子文書やコンテンツ・オブジェクトをアップデートする動作を必要とすることは、その要求が出された時に、端末が通信できない電波環境にある場合のことを考慮すると、好ましくない。従って、画面の表示の開始要求がある前から画面用の表示画面に含まれる電子文書やコンテンツ・オブジェクトをアップデートできるようにする。つまり、待受画面を構成するための電子文書とコンテンツ・オブジェクトをプッシュ型コンテンツとして、端末がこれらを早期にダウンロードできるようにする必要がある。但し、更新の頻度が少ないコンテンツ・オブジェクトのプッシュ型配信に従ったダウンロードは、例えば、夜間や早朝等の通信量が少ない時間に行なえば十分である。また、通信回線を圧迫しないためには、容量が大きいコンテンツ・オブジェクトのプッシュ型配信に従ったダウンロードも、例えば、夜間や早朝等の通信量が少ない時間に行う必要がある。一方、待受画面に表示するニュースや天気予報のコンテンツ・オブジェクトのプッシュ型配信に従ったダウンロードは、頻繁に行なう必要があり、また、このようなコンテンツ・オブジェクトの容量は少ないので、このダウンロードは頻繁に行なう。
【００４３】
機能メニュー画面を構成するコンテンツ・オブジェクトとそのダウンロードのタイミングも待受画面と同様である。
【００４４】
待受画面のフレームワークとなる電子文書には、待受画面の壁紙として利用する静止画を特定する情報として、コンテンツ・オブジェクト・フォルダ名と静止画のファイル名の組が記述されている。従って、ユーザが壁紙として利用したい静止画のファイルをコンテンツ・オブジェクト・フォルダにコピー又は移動して、その静止画のファイルのファイル名を電子文書に記述されているファイル名とすることにより、待受画面にユーザが利用することを希望した壁紙を表示することができる。しかし、壁紙として利用したい静止画のファイルは、任意のフォルダに任意のファイル名で格納されている。従って、壁紙設定用のユーティリティを端末にインストールしておき、コピー先又は移動先としてコンテンツ・オブジェクト・フォルダを指定せず、コンテンツ・オブジェクト・フォルダ内における、静止画のファイル名を指定しなくても、コピー元又は移動元の静止画ファイルがあるフォルダとその静止画ファイルを指定するだけで、その静止画ファイルのコンテンツ・オブジェクト・フォルダへのコピー又は移動とファイル名の所定のファイル名（例えば、「wallpaler.jpg」）への変更ができるようにしておいてもよい。そうすれば、コピー先又は移動先を間違えることが無いし、壁紙用の静止画ファイル名を間違えることもない。移動元の静止画ファイルは、任意の場所（例えば、、カメラやコンテンツ・オブジェクト・プロバイダのサーバ）から入手し、任意のフォルダに格納し、任意のファイル名が付いたものでよい。コピー又は移動及びファイル名の変更をすることにより、このような静止画ファイルを、ユーティリティ等により、壁紙の静止画ファイルとして利用することができるようになる。
【００４５】
［ＷＥＢメニュー画面（コンテンツの種類とダインロードのタイミング）］
ＷＥＢニュー画面を構成するコンテンツ・オブジェクトとそのダウンロードのタイミングも待受画面と同様であってもよい。特に、ユーザがＷＥＢメニュー画面を表示するための操作を行なってから、最新のＷＥＢメニュー画面の表示が行なわれるまでの待ち時間を短縮するために、ＷＥＢメニュー画面を構成するコンテンツ・オブジェクトとして、プッシュ型配信に従ったコンテンツ・オブジェクトを利用するようにしてもよい。
【００４６】
しかし、ユーザが様々なＷＥＢページにアクセスしようとする時に、最初にＷＥＢメニュー画面を表示することを考慮すると、最新のＷＥＢメニュー画面を正しく表示できるのを、端末が圏内に存在する時に限ってもよい。従って、プル型配信に従ったコンテンツ・オブジェクトをＷＥＢメニュー画面を構成するコンテンツ・オブジェクトとして利用してもよい。但し、この場合であっても、ＷＥＢメニュー画面を構成するコンテンツ・オブジェクトのうちの容量が大きいコンテンツ・オブジェクトとしては、プッシュ型配信に従ったコンテンツ・オブジェクトを利用し、夜間や早朝等の通信量が少ない時間にダウンロードを行なうようにして、通信回線の圧迫を避けるようにしてもよい。逆に、ＷＥＢメニュー画面を構成するコンテンツ・オブジェクトのうちのフレームワークを構成する電子文書は、容量が少ないので、常に、プル型配信に従ったコンテンツ・オブジェクトを電子文書として利用するようにしてもよい。
【００４７】
プル型配信に従ったダウンロードを行なう場合には、プル型コンテンツ・オブジェクトが格納されるフォルダ（コンテンツ・オブジェクト・フォルダであってもよいし、他のフォルダであってもよい。）を背景技術の欄で説明したキャッシュ・メモリであると捉え、背景技術の欄で説明したキャッシュ・メモリ・アップデートの２通りの方法のうちの何れかの方法により、コンテンツ・オブジェクトの再ダウンロードが必要であるか否かを判断し、必要であると判断された時に、コンテンツ・オブジェクトをダウンロードするようにしてもよい。
【００４８】
ＷＥＢメニュー画面を構成するための電子文書の容量は少ないので、プル型配信に従ってこの電子文書をダウンロードするタイミングは、ユーザがＷＥＢメニュー画面の表示を要求した時であっても良い。
【００４９】
一方、ＷＥＢメニュー画面を構成するためのコンテンツ・オブジェクトのうちの容量が大きいコンテンツ・オブジェクトについては、夜間や早朝にプル型配信に従ってこのコンテンツ・オブジェクトをダウンロードして、通信回線を圧迫しないようにすることが好ましい。
【００５０】
このようなプル型配信に従ったコンテンツ・オブジェクトのダウンロードは、ＷＥＢブラウザを端末の他の部分から制御することによって行なってもよいし、電子文書に記述されたスクリプトに従って行なってもよい。
【００５１】
例えば、端末が、コンテンツ・オブジェクトのダウンロードが必要であるか否かをアイドル時間に継続的に行ない、必要であれば、アイドル時間にコンテンツ・オブジェクトをダウンロードすることにより、端末のフォルダに格納されているコンテンツ・オブジェクトを常に最新のものに維持することができる。
【００５２】
このように、コンテンツ・オブジェクトのダウンロードをアイドル時間に行なうことにより、表示画面の表示が要求された時に、それを契機としてコンテンツ・オブジェクトをダウンロードする必要が無くなるため、要求から表示までの時間を短縮することができる。
【００５３】
また、プル型配信に従ったダウンロードの方法として、端末がダウンロード要求を上述した管理サーバに送信し、管理サーバがその要求に従って、ショート・メッセージを送り、端末がそのショート・メッセージに記載されているＵＲＬ等の情報に従ってコンテンツ・オブジェクトをダウンロードする方法を利用してもよい。この際、管理サーバは、例えば、コンテンツ・サーバや通信回線の負荷状況が重い時には、ショート・メッセージの送信を中止したり、延期しても良い。
【００５４】
［効果］
従来技術の方法では、アップデートされた表示画面のダウンロードが必要であると判断された場合には、端末からの表示画面のダウンロードの要求に従って、表示画面を構成する電子文書及び表示画面に含まれる全てのコンテンツ・オブジェクトを、短時間にサーバから端末にダウンロードしなければならないため、サーバの瞬間負荷、端末の瞬間負荷、通信路の瞬間通信量が大きくなる。表示画面のダウンロードの要求が一斉に多数の端末から出された場合、サーバは過負荷のため機能しなくなり、通信路は輻輳する虞がある。
【００５５】
これに対し、本実施形態では、プッシュ型配信に従う場合であっても、プル型配信に従う場合であっても、アップデートされた表示画面のダウンロードが必要であるか否かの判断の代わりに、アップデートされた個々のコンテンツ・オブジェクトのダウンロードが必要であるか否かの判断及びアップデートされた電子文書のダウンロードが必要であるか否かの判断が別々に行なわれる。そして、前者の判断は、アイドル時間に疎らに行なわれる。後者の判断は、アイドル時間に疎らに行なわれてもよいし、ユーザなどから表示画面の表示を要求された時に行なわれてもよい。従って、表示画面に含まれる全てのコンテンツ・オブジェクトを、短時間にサーバから端末にダウンロードする必要がなくなるため、サーバの瞬間負荷、端末の瞬間負荷、通信路の瞬間通信量が大きくなることを避けることができる。また、画面表示の要求から画面表示までの時間を短縮することができる。
【００５６】
［システム構成］
図１は、本発明の実施形態による画面表示システムの構成を示すブロック図である。
【００５７】
図１を参照すると、本発明による画面表示システムは、プッシュ型コンテンツ・オブジェクト・サーバ１０１、管理サーバ１０２、プッシュ・プロキシ・ゲートウェイ１０３、プル型コンテンツ・オブジェクト・サーバ１０５及び端末１０７を備える。
【００５８】
プッシュ型コンテンツ・オブジェクト・サーバ１０１は、様々なプッシュ型コンテンツ・オブジェクトを格納し、端末１０７から要求されたプッシュ型コンテンツ・オブジェクトを端末１０７にダウンロードさせる。
【００５９】
プッシュ・プロキシ・ゲートウェイ１０３は、端末１０７がプッシュ型コンテンツ・オブジェクトをコンテンツ・オブジェクト・サーバ１０１からダウンロードするためのトリガとなるショート・メッセージを端末１０７に送信する。このショート・メッセージには、コンテンツ・オブジェクトのＵＲＬが含まれる。
【００６０】
管理サーバ１０２は、プッシュ型コンテンツ・オブジェクト・サーバ１０１にあるプッシュ型コンテンツ・オブジェクトの更新を監視する。また、プッシュ型コンテンツ・オブジェクト・サーバ１０１が、プッシュ型コンテンツ・オブジェクトの更新を検出して、その更新を管理サーバ１０２に通知してもよい。管理サーバ１０２は、プッシュ型コンテンツ・オブジェクトの更新とショート・メッセージの送信を同時に起こしてもよい。
【００６１】
また、管理サーバ１０２は、更新されたプッシュ型コンテンツ・オブジェクトがどの端末１０７で利用されているのかという情報を表すデータを格納している。このデータは、例えば、各端末１０７の画面の設計時に作成される。従って、あるプッシュ型コンテンツ・オブジェクトが更新されたならば、それを利用する全ての端末１０７にそれをダウンロードするためのショート・メッセージが送信される。
【００６２】
プッシュ・プロキシ・ゲートウェイ１０３が端末１０７に送信するショート・メッセージが契機となって、プッシュ型コンテンツ・オブジェクト・サーバ１０１からコンテンツ・オブジェクトが端末１０７に送信されるので、このシーケンスは、全体でみるとプッシュ型配信に従ったダウンロードであり、この意味で、このように送信されるコンテンツ・オブジェクトは、上述したとおり、プッシュ型コンテンツ・オブジェクトである。
【００６３】
また、ショート・メッセージが契機となってプッシュ型コンテンツ・オブジェクトの配信が行なわれるのは、ショート・メッセージの宛先が携帯電話の電話番号であり、これにより、個々の端末１０７を配信先として指定できるからである。従って、例えば、他の種類の電話番号、ＩＰｖ６のＩＰアドレス、ＭＡＣアドレス、電子メールアドレス等により個々の端末１０７を指定できるのであれば、これらを宛先とするメッセージを契機としてプッシュ型コンテンツ・オブジェクトの配信を開始してもよい。また、ショート・メッセージ等の補助的な手段を用いず、端末１０７を特定できる情報を用いてプッシュ型コンテンツ・オブジェクト・サーバ１０１から自発的にプッシュ型コンテンツ・オブジェクトを端末１０７に配信してもよい。
【００６４】
プッシュ・プロキシ・ゲートウェイ１０３は、例えば、端末１０７が所定の画面（例えば、待受画面）を最初に構築する時に、ショート・メッセージを端末１０７に送信する。このためには、例えば、プッシュ・プロキシ・ゲートウェイ１０３は、その送信のための要求を管理サーバ１０２から受信する。
【００６５】
そのショート・メッセージには、単一で又は複数集まって、所定の画面に含まれる全てのプッシュ型コンテンツ・オブジェクトをダウンロードするための情報が含まれている。１つのショート・メッセージに、所定の画面に含まれる全てのプッシュ型コンテンツ・オブジェクトをダウンロードするための情報を含ませてもよい。１つのショート・メッセージに、所定の画面に含まれるプッシュ型コンテンツ・オブジェクトのうちの一部のもの（例えば、あるテーマに属するコンテンツ・オブジェクト群）をダウンロードするための情報を含ませ、複数のショート・メッセージにより所定の画面に含まれる全てのプッシュ型コンテンツ・オブジェクトを網羅するようにしてもよい。１つのショート・メッセージに、所定の画面に含まれる個々のプッシュ型コンテンツ・オブジェクトをダウンロードするための情報を含ませ、複数のショート・メッセージにより所定の画面に含まれる全てのプッシュ型コンテンツ・オブジェクトを網羅するようにしてもよい。但し、１つのショート・メッセージに１つのプッシュ型コンテンツ・オブジェクトを対応させる場合であっても、複数のプッシュ型コンテンツ・オブジェクトを対応させる場合であっても、１つのショート・メッセージには、プッシュ型コンテンツ・オブジェクト・サーバ１０１のドメイン名を含む１つのＵＲＬを対応させる。そして、そのＵＲＬに１つのプッシュ型コンテンツ・オブジェクト又はマルチパート形式に編成された複数のプッシュ型コンテンツ・オブジェクトを対応させておく。
【００６６】
また、プッシュ・プロキシ・ゲートウェイ１０３は、端末１０７の或る画面を構築するための少なくとも一部のプッシュ型コンテンツ・オブジェクトが更新された時に、端末１０７にそのプッシュ型コンテンツ・オブジェクトをダウンロードさせるためのショート・メッセージを端末１０７に送信する。このためには、管理サーバ１０２が、プッシュ型コンテンツ・オブジェクトの更新を把握する。
【００６７】
また、端末１０７が管理サーバ１０２に要求して、この要求を契機としてショート・メッセージの送信を起こしてもよい。但し、ショート・メッセージが輻輳することを防止するために、管理サーバ１０２は、端末１０７からの要求に対して許可／禁止或いは時間調整のためのフィルタを設ける必要がある。
【００６８】
プル型コンテンツ・オブジェクト・サーバ１０５は、様々なプル型コンテンツ・オブジェクトを格納し、端末１０７から要求されたプル型コンテンツ・オブジェクトを端末１０７にダウンロードさせる。様々なプル型コンテンツ・オブジェクトは、プッシュ型コンテンツ・オブジェクトと同様に、例えば、画面のフレームワークを構成する電子文書、静止画、動画、音声、ＣＳＳ(Cascading Style Sheet)、文字等である。これらも、端末１０７において、画面（例えば、通常のＷＥＢ画面）を構築するために利用される。
【００６９】
図１には、プッシュ型コンテンツ・オブジェクト・サーバ１０１及びプル型コンテンツ・オブジェクト・サーバ１０５が、１つずつ示されているが、これらは、複数あってもよい。また、少なくとも１つのプル型コンテンツ・オブジェクト・サーバ１０５は、ＷＥＢメニュー画面のフレームワークとなる電子文書を提供するためのサーバであり、このサーバは、典型的には、通信事業者により提供される。また、プル型コンテンツ・オブジェクト・サーバ１０５は、一般のＷＥＢサーバであってもよい。
【００７０】
コンテンツ・オブジェクト・フォルダ１２１は、様々なプッシュ型コンテンツ・オブジェクト、様々なプル型コンテンツ・オブジェクト及び様々な非ダウンロード型コンテンツ・オブジェクトを格納する。
【００７１】
コンテンツ・オブジェクト・フォルダ１２１は、基本的には端末１０７に内蔵されている記録媒体（フラッシュ・メモリ等）に設けられるが、端末１０７に接続されている記録媒体に設けられてもよい。また、ファイル・システムでいうところの任意のディレクトリやサブ・ディレクトリに設けられてもよい。
【００７２】
但し、コンテンツ・オブジェクト・フォルダ１２１にアクセスするためには、複数の端末間で共通なヘッダが用いられる。共通な範囲は、例えば、狭くとも、１つの通信事業者と契約している全ての端末を含む範囲である。従って、各端末には、コンテンツ・オブジェクト・フォルダ１２１の位置情報（例えば、ディレクトリ情報）とヘッダを関連付けるための情報を設定しておく必要があるが、通常は、端末１０７の製造時や通信事業者との契約時に設定され、ユーザが設定する必要はない。
【００７３】
ヘッダは、例えば、「vf://」というプロトコル識別情報にして、ブラウザが、「http://」、「ftp://」、「file://」といった標準のプロトコル識別情報と区別を付けられるようにしておく。「files://」を利用した場合、ブラウザは、ローカル（端末１０７内）のファイルにアクセスすることができるが、オペレーティング・システムによって、ルートとなるディレクトリが異なる。すなわち、或るオペレーティング・システムでは、オペレーティング・システム直下のディレクトリがルート・ディレクトリとして扱われ、別の或るオペレーティング・システムでは、ユーザ・ディレクトリがルート・ディレクトリとして扱われる。従って、例えば、「files://index.htm」を指定しても、想定した電子文書にアクセスできるとは限らない。これに対し、本実施形態では、共通な範囲では、各端末に、コンテンツ・オブジェクト・フォルダ１２１の位置情報（例えば、ディレクトリ情報）とヘッダを関連付けるための情報が設定されているので、ヘッダとコンテンツ・オブジェクト名（例えば、「vf://index.htm」を指定すれば、必ず、コンテンツ・オブジェクト・フォルダ１２１にある電子文書index.htmにアクセスすることができる。
【００７４】
また、後述するプッシュ型コンテンツ・オブジェクト・ダウンロード部１２５、プル型コンテンツ・オブジェクト・ダウンロード部１３３及び非ダウンロード型コンテンツ・オブジェクト入力部１３７も、コンテンツ・オブジェクト・フォルダ１２１の位置情報とヘッダを関連付けるための情報を利用して、ヘッダとコンテンツ・オブジェクト名により、コンテンツ・オブジェクト・フォルダ１２１のコンテンツ・オブジェクトにアクセスすることができる。例えば、コンテンツ・オブジェクト・フォルダ１２１に電子文書index.htmを格納したい場合には、「vf://index.htm」を指定すればよい。
【００７５】
また、コンテンツ・オブジェクト・フォルダ１２１の下にサブ・フォルダを設け、コンテンツ・オブジェクト・フォルダ１２１を基準とした相対的な指定方法で、サブ・フォルダ内のコンテンツ・オブジェクトを指定できるようにしてもよい。例えば、「vf://sub1/index.htm」により、コンテンツ・オブジェクト・フォルダ１２１直下のサブ・フォルダsub1にある電子文書index.htmにアクセスする。
【００７６】
また、コンテンツ・オブジェクト・フォルダ１２１の下に複数のサブ・フォルダを設け、更に、ユーザの指定等により、どのサブ・フォルダを利用するかを決めておき、そのサブ・フォルダがコンテンツ・オブジェクト・フォルダ１２１であるかのように扱ってもよい。例えば、コンテンツ・オブジェクト・フォルダ１２１の直下にサブ・フォルダsub1とサブ・フォルダsub2を設け、サブ・フォルダsub1を選択することとして、「vf://index.htm」が指定された場合には、実際には、「vf://sub1/index.htm」にアクセスするようにしてもよい。例えば、テーマ毎に複数のサブ・フォルダを設け、ページ内の同一要素にテーマ間で共通のコンテンツ・オブジェクト名を付けておき、時期毎に気に入ったテーマに対応するサブ・フォルダを指定する。ここで、テーマとは、例えば、予め用意された複数のアニメーションのキャラクタやモチーフ（和風、西洋風、天然調等）から選択されたものである。こうすることにより、気に入ったテーマ内の個々のコンテンツ・オブジェクト毎にサブ・フォルダを指定する必要がなくなる。
【００７７】
また、コンテンツ・オブジェクト・フォルダ１２１からコンテンツ・オブジェクトを読み出す時に、コンテンツ・オブジェクトの名称が本体の名称のみで（すなわち、拡張子無しに）、指定された場合には、予め指定してある拡張子の順序に従って、その本体の名称が一致するコンテンツ・オブジェクトを探し、最初に見つかったコンテンツ・オブジェクトを読み出すようにしてもよい。例えば、予め指定してある拡張子の順序を「bmp」→「jpg」→「gif」としておき、「wallpaper」が指定された時に、「wallpaper.bmp」→「wallpaper.jpg」→「wallpaper.gif」の順にコンテンツ・オブジェクトを探し、最初に「wallpaper.jpg」が見つかった場合には、これを読み出し、それに応じたデコーダで静止画を復元するようにしてもよい。こうすることにより、例えば、待受画面の壁紙として利用したい静止画のフォーマットを所定の範囲から自由に選択することができる。また、この優先順位をユーザが指定できるようにしてもよい。勿論、特定の拡張子を特定してもよい。これらの優先順位や拡張子の指定は、例えば、ユーザが待受画面用のＷＥＢページの設計を対話形式により行なう過程において、ユーザに行なわせるようにしてもよい。
【００７８】
また、コンテンツ・オブジェクト・フォルダ１２１にある電子文書からコンテンツ・オブジェクト・フォルダ１２１にあるコンテンツ・オブジェクトを参照する場合には、ヘッダを付けずに相対的な指定方法を利用できる。例えば、コンテンツ・オブジェクト・フォルダ１２１にある電子文書index.htmからコンテンツ・オブジェクト・フォルダ１２１の下のサブフォルダsub1にある静止画コンテンツ・オブジェクトfish.jpgを参照する場合には、「sub1/fish.jpg」により指定できる。
【００７９】
ＷＡＰ受信部１２３は、ショート・メッセージを受信して、ＷＡＰに関連した処理を行ない、ショート・メッセージ中のプッシュ型コンテンツ・オブジェクトのダウンロードに必要な情報（プッシュ型コンテンツ・オブジェクトのＵＲＬ等）をプッシュ型コンテンツ・オブジェクト・ダウンロード部１２５に出力する。
【００８０】
プッシュ型コンテンツ・オブジェクト・ダウンロード部１２５は、ＷＡＰ受信部１２３から入力した情報を基に、プッシュ型コンテンツ・オブジェクトをプッシュ型コンテンツ・オブジェクト・サーバ１０１からダウンロードし、コンテンツ・オブジェクト・フォルダ１２１に格納する。プッシュ型コンテンツ・オブジェクト・ダウンロード部１２５は、ＷＡＰ受信部１２３からプッシュ型コンテンツ・オブジェクトをダウンロードするための情報を入力した直後にダウンロードを行なってもよいが、例えば、端末１０７の負荷が減る迄、端末１０７の通信量が減る迄、電波状況が良くなる迄、又はこれらのうちの所定の複数の条件が揃う迄、ダウンロードを保留してもよい。
【００８１】
ユーザ・インターフェース１２７は、キー群、表示部、マイク、スピーカ、及び、これらを制御する制御部を含み、ユーザからの入力や要求を端末１０７の各部に伝えたり、各部からの情報を出力したりする。
【００８２】
ブラウザ１２９は、ユーザにより要求された画面に対応する電子文書及びこれにリンクされているコンテンツ・オブジェクトを基に、その画面を表示部に表示するための画像データを生成して、表示部に出力し、音声ファイルのコンテンツ・オブジェクトが電子文書からリンクされている場合には、音声信号をスピーカに出力する。
【００８３】
ブラウザ１２９は、コンテンツ・オブジェクト・フォルダ１２１から読み出した電子文書に基づいて、ＷＥＢ画面を表示することもできるし、プル型コンテンツ・オブジェクト・サーバ１０５からダウンロードした電子文書に基づいて、ＷＥＢ画面を表示することもできる。また、プル型コンテンツ・オブジェクト・サーバ１０５からダウンロードした電子文書をキャッシュ・メモリ１３１に一時的に格納し、ここから読み出し、これに基づいて、ＷＥＢ画面を表示することもできる。キャッシュ・メモリ１３１を利用する場合には、背景技術の欄で説明したような更新の方法を利用してもよい。
【００８４】
また、ブラウザ１２９は、電子文書がどこから入力されたかにかかわらず、電子文書に、コンテンツ・オブジェクト・フォルダ１２１に格納されているコンテンツ・オブジェクトが記述されている場合には、コンテンツ・オブジェクト・フォルダ１２１に格納されているコンテンツ・オブジェクトにアクセスする。コンテンツ・オブジェクト・フォルダ１２１に格納するべきコンテンツ・オブジェクトについても同様である。また、ブラウザ１２９は、電子文書がどこから入力されたかにかかわらず、電子文書に、プル型コンテンツ・オブジェクト・サーバ１０５に格納されているプル型コンテンツ・オブジェクトが記述されている場合には、プル型コンテンツ・オブジェクト・サーバ１０５からプル型コンテンツ・オブジェクトをダウンロードする。ブラウザ１２９上のプラグインも、ブラウザ１２９と同様に、記述に従って、コンテンツ・オブジェクトのアクセス先を自由に切り換えることができる。
【００８５】
また、コンテンツ・オブジェクト・フォルダ１２１に格納されたプッシュ型コンテンツ・オブジェクトの更新版をプッシュ型コンテンツ・サーバ１０１からダウンロードするためのスクリプトが電子文書に記述されている場合には、その記述に従って、プッシュ型コンテンツ・オブジェクトの更新版をプッシュ型コンテンツ・サーバ１０１からダウンロードする。同様に、コンテンツ・オブジェクト・フォルダ１２１に格納されたプッシュ型コンテンツ・オブジェクトの更新版をプル型コンテンツ・サーバ１０５からダウンロードするためのスクリプトが電子文書に記述されている場合には、その記述に従って、プッシュ型コンテンツ・オブジェクトの更新版をプル型コンテンツ・サーバ１０５からダウンロードする。このような場合、コンテンツ・オブジェクトは、プッシュ型とプル型の両方の性質を有する。
【００８６】
上記段落の動作は、コンテンツ・オブジェクト・フォルダ１２１に最初にプル型コンテンツ・オブジェクト又は非ダウンロード型コンテンツ・オブジェクトとして格納されたコンテンツ・オブジェクトについても同様である。
【００８７】
キャッシュ・メモリ１３１は、ブラウザ１２９が利用するものであり、従来技術におけるブラウザ用キャッシュ・メモリと同様なものである。つまり、ブラウザ１２９は、通常のブラウザと同様に、キャッシュ・メモリ１３１に、プル型コンテンツ・オブジェクトを一時保存したり、これを更新したりする。
【００８８】
プル型コンテンツ・オブジェクト・ダウンロード部１３３は、プル型コンテンツ・オブジェクトをプル型コンテンツ・オブジェクト・サーバ１０５からダウンロードし、コンテンツ・オブジェクト・フォルダ１２１に格納する。プル型コンテンツ・オブジェクト・ダウンロード部１３３が、このようなことを行なうのは、例えば、ユーザ・インターフェース１２７を介して、ユーザによりプル型コンテンツ・オブジェクトのダウンロードを要求された場合である。
【００８９】
デジタル著作権管理部１３５は、プッシュ型コンテンツ・オブジェクトのうちの著作権管理が必要なものとプル型コンテンツ・オブジェクトのうちの著作権管理が必要なものに対して、著作権管理のための処理を行なう。この処理は、例えば、課金処理や所定の範囲の利用を許諾するための処理であり、デジタル著作権管理用サーバ（図示せず。）と連携して行なう。所定の範囲の利用の許諾のための処理は、例えば、暗号解読鍵によるコンテンツ・オブジェクトの暗号解読、利用が要求された時の暗号解読の許可／禁止処理、暗号解読されたコンテンツ・オブジェクトの再格納等である。
【００９０】
非ダウンロード型コンテンツ・オブジェクト入力部１３７は、非ダウンロード型コンテンツ・オブジェクトをコンテンツ・オブジェクト・フォルダ１２１に格納する。
【００９１】
［プッシュ型配信に従ったダウンロード］
次に、プッシュ型コンテンツ・オブジェクトをプッシュ型配信の方法によりダウンロードする方法について、図２を参照して説明する。
【００９２】
まず、プッシュ・プロキシ・ゲートウェイ１０３は、ショート・メッセージをＷＡＰ受信部１２３に送信する（ステップＳ２０１）。
【００９３】
次に、ＷＡＰ受信処理部１２３は、ステップＳ２０１で送信されてきたショート・メッセージに対して、上述したように、ＷＡＰに関連した処理を行ない、ショート・メッセージ中のプッシュ型コンテンツ・オブジェクトのダウンロードに必要な情報（プッシュ型コンテンツ・オブジェクトのＵＲＬ等）をプッシュ型コンテンツ・オブジェクト・ダウンロード部１２３に出力する（ステップＳ２０３）。
【００９４】
次に、プッシュ型コンテンツ・オブジェクト・ダウンロード部１２５は、ＷＡＰ受信部１２３から入力した情報を基に、プッシュ型コンテンツ・オブジェクトの送信の要求をプッシュ型コンテンツ・オブジェクト・サーバ１０１に送信する（ステップＳ２０５）。
【００９５】
これに応じて、プッシュ型コンテンツ・オブジェクト・サーバ１０１は、要求されたプッシュ型コンテンツ・オブジェクトをプッシュ型コンテンツ・オブジェクト・ダウンロード部１２５に送信する（ステップＳ２０７）。
【００９６】
次に、プッシュ型コンテンツ・オブジェクト・ダウンロード部１２５は、ステップＳ２０７で送信されてきたプッシュ型コンテンツ・オブジェクトをコンテンツ・オブジェクト・フォルダ１２１に格納する（ステップＳ２０９）。プッシュ型コンテンツ・オブジェクトをコンテンツ・オブジェクト・フォルダ１２１の直下に格納するのか、又は、コンテンツ・オブジェクト・フォルダ１２１の下の何れかのサブ・フォルダに格納するかについての指定は、ショート・メッセージに含ませてもよいし、ユーザが指定してもよい。
【００９７】
次に、ダウンロードしたプッシュ型コンテンツ・オブジェクトがデジタル著作権管理を必要とするものである場合には、プッシュ型コンテンツ・オブジェクト・ダウンロード部１２５は、プッシュ型コンテンツ・オブジェクトの格納が終了したことをデジタル著作権管理部１３５に通知する（ステップＳ２１１）。
【００９８】
これに応じて、デジタル著作権管理部１３５は、デジタル著作権管理のための処理のうちの初期に必要な処理（例えば、課金処理のうちの端末側の処理、暗号解読鍵のダウンロード、使用許諾範囲情報のダウンロード等）を行なう（ステップＳ２１３）。
【００９９】
但し、プッシュ型コンテンツ・オブジェクト・ダウンロード部１２５が、ステップＳ２０７で送信されてきたプッシュ型コンテンツ・オブジェクトの受信が完了した時に、受信完了したことをデジタル著作権管理部１３５に通知し、これに応じてデジタル著作権管理部１３５がステップＳ２１３を行ない、この後に、ステップＳ２１１のプッシュ型コンテンツ・オブジェクトの格納を行なうようにしてもよい。
【０１００】
［プル型配信に従ったダウンロード］
次に、プル型コンテンツ・オブジェクトをプル型配信の方法によりダウンロードする方法について、図３を参照して説明する。
【０１０１】
プル型コンテンツ・オブジェクト・ダウンロード部１３３は、プル型コンテンツ・オブジェクトの送信の要求をプル型コンテンツ・オブジェクト・サーバ１０５に送信する（ステップＳ２２１）。
【０１０２】
これに応じて、プル型コンテンツ・オブジェクト・サーバ１０５は、要求されたプル型コンテンツ・オブジェクトをプル型コンテンツ・オブジェクト・ダウンロード部１３３に送信する（ステップＳ２２３）。
【０１０３】
次に、プル型コンテンツ・オブジェクト・ダウンロード部１３３は、ステップＳ２２３で送信されてきたプル型コンテンツ・オブジェクトをコンテンツ・オブジェクト・フォルダ１２１に格納する（ステップＳ２２５）。プル型コンテンツ・オブジェクトをコンテンツ・オブジェクト・フォルダ１２１の直下に格納するのか、又は、コンテンツ・オブジェクト・フォルダ１２１の下の何れかのサブ・フォルダに格納するかについての指定は、ショート・メッセージに含ませてもよいし、ユーザが指定してもよい。また、ステップＳ２２５を行なわなくてもよい。また、ステップＳ２２５を行なわずに、プル型コンテンツ・オブジェクトをキャッシュ・メモリ１３１に格納してもよい。
【０１０４】
次に、ダウンロードしたプル型コンテンツ・オブジェクトがデジタル著作権管理を必要とするものである場合には、プル型コンテンツ・オブジェクト・ダウンロード部１３３は、プル型コンテンツ・オブジェクトの格納が終了したことをデジタル著作権管理部１３５に通知する（ステップＳ２２７）。
【０１０５】
これに応じて、デジタル著作権管理部１３５は、デジタル著作権管理のための処理のうちの初期に必要な処理（例えば、課金処理のうちの端末側の処理、暗号解読鍵のダウンロード、使用許諾範囲情報のダウンロード等）を行なう（ステップＳ２２９）。
【０１０６】
但し、プル型コンテンツ・オブジェクト・ダウンロード部１３３が、ステップＳ２２３で送信されてきたプル型コンテンツ・オブジェクトの受信が完了した時に、受信完了したことをデジタル著作権管理部１３５に通知し、これに応じてデジタル著作権管理部１３５がステップＳ２２９を行ない、この後に、ステップＳ２２７のプル型コンテンツ・オブジェクトの格納を行なうようにしてもよい。
【０１０７】
なお、ブラウザ１２９も、必要に応じて、プル型コンテンツ・オブジェクト・ダウンロード部１３３と同様に、プル型コンテンツ・オブジェクトをプル型コンテンツ・オブジェクト・サーバ１０５からダウンロードする。通常は、ブラウザ１２９がダウンロードしたプル型コンテンツ・オブジェクトは、コンテンツ・オブジェクト・フォルダ１２１に格納されないが、格納されるようにしてもよい。ブラウザ１２９がダウンロードしたプル型コンテンツ・オブジェクトが、コンテンツ・オブジェクト・フォルダ１２１に格納されるようにするためには、例えば、そのためのスクリプトを電子文書に記述する。また、プル型コンテンツ・オブジェクトは、コンテンツ・オブジェクト・フォルダ１２１に格納されない場合、キャッシュ・メモリ１３１に格納されるようにしてもよい。
【０１０８】
［待受画面の詳細］
次に、端末１０７の表示部に表示される待受画面について説明する。
【０１０９】
本実施形態では、待受画面をブラウザ１２９により生成し、これを表示部に表示する。また、待受画面には、通常、電波状態、バッテリ残量を表示する必要がある。また、待受画面に、デジタル時計又はアナログ時計、天気予報、ニュース速報を表示すると便利である。更に、待受画面には、お気に入りの表示画面にリンクされているオブジェクト（文字やアイコン）等を表示すると便利である。これらの表示のためには、ブラウザ１２９は、電子文書及びそれにリンクされているコンテンツ・オブジェクトを入力する。また、これらのオブジェクトの配置は、ＣＳＳで指定する。つまり、電波状態、バッテリ残量、壁紙、デジタル時計又はアナログ時計、天気予報、ニュース速報、ＣＳＳ、お気に入りの表示画面へのリンクオブジェクト等を、それらに対応するコンテンツ・オブジェクトにより表示する。
【０１１０】
例えば、電波状態の表示は、電波状態を検出する機能部（図示せず。）から電波状態を表す信号を入力し、これに基づいて、電波状態に応じた図形を表示するためのスクリプト（コンテンツ・オブジェクトの一種である。）により行なう。このスクリプトをプッシュ型コンテンツ・オブジェクトとして提供してもよい。
【０１１１】
また、バッテリ残量の表示は、バッテリ残量を検出する機能部（図示せず。）からバッテリ残量を表す信号を入力し、これに基づいて、バッテリ残量に応じた図形を表示するためのスクリプト（コンテンツ・オブジェクトの一種である。）により行なう。このスクリプトをプッシュ型コンテンツ・オブジェクトとして提供してもよい。
【０１１２】
更に、壁紙の表示のためには、この基となる静止画ファイル（コンテンツ・オブジェクトの一種である。）や動画ファイル（コンテンツ・オブジェクトの一種である。）を利用する。この静止画ファイルや動画ファイルをプッシュ型コンテンツ・オブジェクトとして提供してもよい。
【０１１３】
デジタル時計又はアナログ時計の表示は、時計部（図示せず。）から現在時刻を表す信号を入力し、これに基づいて、現在時刻に応じた図形や数値を表示するためのスクリプト（コンテンツ・オブジェクトの一種である。）により行なう。このスクリプトをプッシュ型コンテンツ・オブジェクトとして提供してもよい。
【０１１４】
天気予報の表示は、天気予報情報を天気予報配信サーバ（図示せず。）からダウンロードし、天気予報情報に応じた図形を表示するためのスクリプト（コンテンツ・オブジェクトの一種）により行なう。なお、天気予報情報もコンテンツ・オブジェクトの一種である。また、天気予報の内容を表す図形を天気予報配信サーバからダウンロードして、これを表示するようにしてもよい。この天気予報情報や天気予報の内容を表す図形をプッシュ型コンテンツ・オブジェクトとして提供してもよい。
【０１１５】
ニュース速報の表示は、ニュース情報をニュース配信サーバ（図示せず。）からダウンロードし、ニュース情報を表す文字等を表示するためのスクリプト（コンテンツ・オブジェクトの一種である。）により行なう。なお、ニュース情報もコンテンツ・オブジェクトの一種である。このニュース情報をプッシュ型コンテンツ・オブジェクトとして提供してもよい。
【０１１６】
また、ニュース情報を表すプッシュ型コンテンツ・オブジェクトとして、ニュースの文字列を含むＳＶＧ（Scalable Vector Graphics）データを利用してもよい。
【０１１７】
お気に入りの表示画面へのリンクオブジェクトの表示は、表示画面のＵＲＬ及びこれにリンクされているオブジェクトを含む電子文書（待受画面全体の枠組みを形成するための電子文書から呼び出される電子文書であり、コンテンツ・オブジェクトの一種である。）により行なう。この電子文書をプッシュ型コンテンツ・オブジェクトとして提供してもよい。このためには、準備として、対話形式等でお気に入りに関する情報を端末からサーバに送り、サーバで電子文書を生成し、この電子文書をプッシュ型コンテンツ・オブジェクト・サーバ１０１に格納する。また、ユーザから入力したお気に入りに関する情報を基に、この電子文書を生成し、この電子文書を非ダウンロード型コンテンツ・オブジェクトとしてコンテンツ・オブジェクト・フォルダ１２１に格納するためのアプリケーション・プログラムを、端末１０７に設けてもよい。
【０１１８】
ＣＳＳは、対話形式で設計した待受画面のレイアウト等を実現するものであり、これもプッシュ型コンテンツ・オブジェクトとして提供してもよい。
【０１１９】
本実施形態では、待受画面を構成するためのコンテンツ・オブジェクトは、プッシュ型コンテンツ・オブジェクト、プル型コンテンツ・オブジェクト及び非ダウンロード型コンテンツ・オブジェクトのうちの何れであってもよい。
【０１２０】
但し、基本的には、プッシュ型コンテンツ・オブジェクトを待受画面を構成するコンテンツ・オブジェクトとして利用し、これをコンテンツ・オブジェクト・フォルダ１２１に格納する。また、どの端末１０７でも、ブラウザ１２９に、待受画面全体の枠組みを形成するための電子文書の名称として同一のもの（例えば、「vf://idle.htm」）を与える。そして、その電子文書では、待受画面に含まれる表示部分を得るためコンテンツ・オブジェクトとして、コンテンツ・オブジェクト・フォルダ１２１にあるコンテンツ・オブジェクトを記述する。例えば、その電子文書では、待受画面に含まれる電波状態表示部分を得るためコンテンツ・オブジェクトの名称として、スクリプトのファイル名「vf://rfstrength.js」を記述する。ここで、「js」は、ＪａｖａＳｃｒｉｐｔ（「Ｊａｖａ」は、登録商標である。）の拡張子であるが、スクリプトは他の言語によるものであってもよい。
【０１２１】
こうすることにより、待受画面全体の枠組みを形成するための電子文書がプッシュ型コンテンツ・オブジェクト、プル型コンテンツ・オブジェクト及び非ダウンロード型コンテンツ・オブジェクトのうちの何れであっても、コンテンツ・オブジェクト・フォルダ１２１に「idle.htm」という名称で格納されていれば、ブラウザ１２９は、その電子文書を基に待受画面を表示することができる。
【０１２２】
また、例えば、待受画面に含まれる電波状態表示部分を得るためコンテンツ・オブジェクトがプッシュ型コンテンツ・オブジェクト、プル型コンテンツ・オブジェクト及び非ダウンロード型コンテンツ・オブジェクトのうちの何れであっても、コンテンツ・オブジェクト・フォルダ１２１に「rfstrength.js」という名称で格納されていれば、ブラウザ１２９は、そのコンテンツ・オブジェクトを基に電波状態表示部分を表示することができる。
【０１２３】
例えば、工場出荷時に、コンテンツ・オブジェクト・フォルダ１２１に、ブラウザ１２９が基本的な待受画面を表示するために必要なコンテンツ・オブジェクト（電子文書を含む）に格納しておけば、端末１０７を購入したユーザは、直ちにその待受画面をみることができる。
【０１２４】
また、端末１０７の販売店で、店員等による簡単な操作により管理サーバ１０２にショート・メッセージの送信を依頼すれば、その後、図２を参照して説明したプッシュ配信によるダウンロード方法により、コンテンツ・オブジェクト・フォルダ１２１に、ブラウザ１２９が基本的な待受画面を表示するために必要なコンテンツ・オブジェクト（電子文書を含む）が格納され、端末１０７を購入したユーザは、直ちにその待受画面をみることができる。
【０１２５】
また、ユーザは、基本的な待受画面では飽きたらず、待受画面をカスタマイズしたい場合がある。このような要望に応えるために、管理サーバ１０２又はそれと連携したサーバが提供する対話式の表示画面（ユーザが入力した情報をサーバに送信するためのフォームが含まれる表示画面等）で、ユーザが待受画面をカスタマイズするための情報（待受画面カスタマイズ情報）を端末１０７やパーソナル・コンピュータ等により管理サーバ１０２に送信できるようにする。管理サーバ１０２は、待受画面カスタマイズ情報に基づいて、カスタマイズされた待受画面を構成するために必要なプッシュ型コンテンツ・オブジェクトを選択する。その後、管理サーバ１０２からの指示により、これらの必要なプッシュ型コンテンツ・オブジェクトに関するショート・メッセージが送られる。そして、図２を参照して説明したプッシュ配信によるダウンロード方法により、コンテンツ・オブジェクト・フォルダ１２１に、ブラウザ１２９がカスタマイズされた待受画面を表示するために必要なプッシュ型コンテンツ・オブジェクト（電子文書を含む）が格納される。その後、ユーザは、カスタマイズされた待受画面をみることができる。
【０１２６】
カスタマイズは、例えば、リッチ度、レイアウト及びテーマを組み合わせることにより行なう。ここで、リッチ度とは、大容量のコンテンツ・オブジェクト（例えば、画像コンテンツ・オブジェクト）の利用の程度のことである。つまり、画像が随所で利用される待受画面がリッチ度が高い待受画面であり、逆に、画像が殆ど又は全く利用されていない待受画面がリッチ度が低い待受画面である。また、レイアウトとは、個々の文字列や個々の画像の位置や大きさや範囲を複数の文字列や画像について併せることにより実現するものである。テーマは、上述したとおりのものである。
【０１２７】
また、例えば、予めカスタマイズされた待受画面を多数用意しておき、ユーザが選択できるようにしてもよい。また、管理サーバ１０２又はそれと連携したサーバが提供する対話式のカスタマイズ用表示画面（フォームが含まれる表示画面等）に、待受画面に表示できるコンテンツ・オブジェクトの一覧表を表示し、ユーザが選択したコンテンツ・オブジェクトのみを待受画面に表示するようにしてもよい。カスタマイズされた画面のレイアウト等はコンテンツ・オブジェクトであるＣＳＳにより記述される。
【０１２８】
また、ユーザは、待受画面のうちの一部のコンテンツ・オブジェクト（例えば、壁紙）のみを変更したい場合がある。このような要望に応えるために、ユーザが壁紙として利用したい画像ファイルを、非ダウンロード型コンテンツ・オブジェクト入力部１３７により、コンテンツ・オブジェクト・フォルダ１２１に格納できるようにしてもよい。また、ユーザが壁紙として利用したい画像ファイルを、プル型コンテンツ・オブジェクト・ダウンロード部１３３により、プル型コンテンツ・オブジェクト・サーバ１０５からダウンロードして、コンテンツ・オブジェクト・フォルダ１２１に格納してもよい。これらの場合、電子文書では、壁紙として利用するコンテンツ・オブジェクトの名称のうちの少なくとも本体の部分が決められているので、非ダウンロード型コンテンツ・オブジェクト入力部１３７及びプル型コンテンツ・オブジェクト・ダウンロード部１３３は、画像ファイルの名称のうちの少なくとも本体部分をその決められたものに変更する。
【０１２９】
また、ユーザが壁紙として利用したい画像ファイルを、プッシュ型コンテンツ・オブジェクト・ダウンロード部１２５により、プッシュ型コンテンツ・オブジェクト・サーバ１０１からダウンロードして、コンテンツ・オブジェクト・フォルダ１２１に格納してもよい。このためには、管理サーバ１０２又はそれと連携したサーバが提供する対話式の表示画面（フォームが含まれる表示画面等）で、ユーザが予め用意された複数の壁紙から好みの壁紙を選択できるようにして、これを特定するための情報（壁紙特定情報）を端末１０７やパーソナル・コンピュータ等により管理サーバに送信できるようにする。その後、管理サーバ１０２からの指示により、ユーザにより選択された画像ファイルに関するショート・メッセージが送られる。そして、図２を参照して説明したプッシュ配信によるダウンロード方法により、コンテンツ・オブジェクト・フォルダ１２１に、ユーザにより選択された画像ファイルが格納される。その後、待受画面にはユーザにより選択された画像ファイルが表示される。
【０１３０】
また、ある種類のコンテンツ・オブジェクトは、更新される場合がある。例えば、天気予報情報やニュース情報は一定時間毎に更新される。また、或る表示を行うためのスクリプトがバージョンアップされる場合がある。このようなコンテンツ・オブジェクトの更新を端末１０７に自動的に反映させるためには、このようなコンテンツ・オブジェクトをプッシュ型コンテンツ・オブジェクトとしておき、プッシュ型コンテンツ・オブジェクトの更新を認識した管理サーバ１０２は、そのコンテンツ・オブジェクトを待受画面に含む全ての端末１０７にプッシュ型コンテンツ・オブジェクトをダウンロードさせるために、プッシュ・プロキシ・ゲートウェイ１０３に対して、ショート・メッセージをそれらの端末１０７に送るように依頼する。
【０１３１】
また、プッシュ型コンテンツ・オブジェクト・サーバ１０１からダウンロードしたプッシュ型コンテンツ・オブジェクトを、その後、プッシュ型コンテンツ・オブジェクト・サーバ１０１又はプル型コンテンツ・オブジェクト・サーバ１０５から定期的にダウンロードすることにより、更新するためのスクリプトを、待受画面全体を構成する電子文書に埋め込んだり、そのようなスクリプトをコンテンツ・オブジェクトとして、待受画面全体を構成する電子文書から呼び出すようにしておくこともできる。端末１０７は、殆どの時間、待ち受け状態であるため、ブラウザ１２９は、殆どの時間、待受画面のコンテンツ・オブジェクトを実行している。従って、このような更新のためのスクリプトにより、ショート・メッセージなしで、プッシュ型コンテンツ・オブジェクト・サーバ１０１又はプル型コンテンツ・オブジェクト・サーバ１０５からダウンロードして、更新することができる。
【０１３２】
また、あるテーマが選択された場合には、そのテーマに属する画像群が待受画面で利用される。そのような画像群は、プッシュ型コンテンツ・オブジェクト・サーバ１０１からマルチパート形式で端末１０７にダウンロードされ、端末で個々の画像に分けられてからコンテンツ・オブジェクト・フォルダ１２１に格納される。
【０１３３】
また、ユーザは、常に同一のテーマを選択するとは限らず、テーマを変更することも想定される。これに対応するためには、待受画面を最初にカスタマイズする場合と同様に、新たなテーマの画像群をプッシュ型コンテンツ・オブジェクト・サーバ１０１から端末１０７にダウンロードできるようにする。他方、テーマを変えるだけであると、待受画面を構成するための他のコンテンツ・オブジェクトは変化せず、画像群だけ変化する。従って、待受画面の各場所で利用する画像自体は更新前後で異なるが、画像のファイル名は同一となる。単に、既存のテーマの画像群を新たなテーマの画像群により上書きするだけでも、これに対応することができる。しかし、これでは、ユーザーフレンドリーではない。そこで、コンテンツ・オブジェクト・フォルダ１２１の下にテーマ毎の複数のサブ・フォルダを設け、各テーマの画像群をそれに対応したサブ・フォルダに格納するようにする。そして、ユーザがどのテーマを利用するかを選択できるようにして、選択されたテーマに対応したサブ・フォルダから画像群を読み出すようにする。
【０１３４】
このためには、例えば、テーマ毎に異なる画像群だけではなく、どのテーマでも共通なコンテンツ・オブジェクトも、サブ・フォルダに格納する。そうすれば、選択されたサブ・フォルダの待受画面の全体を構成する電子文書を読み出せば、特に、リンクされたコンテンツ・オブジェクトの位置を認識するために追加的な処理をすることなく、選択されたテーマに対応した待受画面を表示できる。又は、テーマ毎に異なる画像群だけサブ・フォルダに格納する。この場合には、ブラウザ１２９に、選択されたテーマに対応するサブ・フォルダを認識させ、リンクされたそのサブ・フォルダにある画像群を読み出させる。
【０１３５】
このように、待受画面を構成するためのコンテンツ・オブジェクトは、基本的に、プッシュ型配信の方法によりダウンロードされるので、端末１０７では、最新の状態の待受画面を維持することができる。一時的に端末１０７が圏外に移動してしまった場合であっても、遅くとも直前にダウンロードしたプッシュ型コンテンツ・オブジェクトにより待受画面を表示することができる。また、一時的に端末１０７が圏外に移動してしまった場合には、その後、ショート・メッセージの再送などにより、端末１０７は、圏内に戻ってから、最新のプッシュ型コンテンツ・オブジェクトをダウンロードすることができる。
【０１３６】
また、管理サーバ１０２がショート・メッセージの送信を通信量が少ない時間帯に行うことにより、プッシュ型コンテンツ・オブジェクトのダウンロードにより他の通信や通話が影響を受けることを少なくすることができる。
【０１３７】
ところで、例えば、コンテンツ・オブジェクトを作成したり、編集する能力を有するユーザや、何かしらの経路でコンテンツ・オブジェクトを入手するユーザが、そのような作成、編集又は入手したコンテンツ・オブジェクトを待受画面等に利用することにより待受画面をカスタマイズしたい場合がある。そのような場合には、そのようなコンテンツ・オブジェクトを非ダウンロード型コンテンツ・オブジェクトとして扱い、コンテンツ・オブジェクト・フォルダ１２１に格納する。そのようなコンテンツ・オブジェクトの一部は、追加的なコンテンツに対応して、既存のプッシュ型コンテンツ・オブジェクト又はプル型コンテンツ・オブジェクトに追加されるものであるが、そのようなコンテンツ・オブジェクトのなかには、プッシュ型コンテンツ・オブジェクト又はプル型コンテンツ・オブジェクトを置き換えるものもある。例えば、そのようなコンテンツ・オブジェクトのなかには、ユーザが自作した天気予報表示用のスクリプトがある。プッシュ型コンテンツ・オブジェクトやプル型コンテンツ・オブジェクトを置き換えた非ダウンロード型コンテンツ・オブジェクトは、置き換え元のコンテンツ・オブジェクトと同一の識別情報を有するので、そのままでは、自動更新の対象とされ、ダウンロードされたコンテンツ・オブジェクトにより上書きされてしまう。それを防ぐために、テーマ毎のサブ・フォルダを設けた場合と同様に、特殊なサブ・フォルダをコンテンツ・オブジェクト・フォルダ１２１の下に設け、その特殊なサブ・フォルダを自動更新の対象から外し、その特殊なサブ・フォルダに自動更新されては困るコンテンツ・オブジェクトを格納するようにしてもよい。或いは、画面に含まれるコンテンツ・オブジェクトのリストを表示し、各コンテンツ・オブジェクト毎に自動更新の許可／禁止をユーザが設定できるようにしてもよい。その設定情報に基づき、プッシュ型コンテンツ・オブジェクト・ダウンロード部１２５、プル型コンテンツ・オブジェクト・ダウンロード部１３３及びブラウザ１２９は、各コンテンツ・オブジェクトのダウンロードを行なうか又は中止するかを判断する。また、特殊なサブ・フォルダに格納された各コンテンツ・オブジェクト毎にダウンロードの許可／禁止をユーザが設定できるようにしてもよい。
【０１３８】
［待受画面又は機能メニュー画面を構成するコンテンツ・オブジェクト］
待受画面を構成するコンテンツ・オブジェクトは、電子文書、ＣＳＳ、画像（静止画又は動画）、音声、テキスト、スクリプトを含む。これらのコンテンツは、コンテンツ・オブジェクト・フォルダ１２１に格納される。
【０１３９】
それぞれのコンテンツ・オブジェクトは、基本的にはプッシュ型コンテンツ・オブジェクトであるが、非ダウンロード型コンテンツ・オブジェクトに置き換わってもよい。また、プッシュ型コンテンツ・オブジェクトに加えて別のコンテンツを表すプル型コンテンツ・オブジェクト又は非ダウンロード型コンテンツ・オブジェクトが待受画面を構成するコンテンツ・オブジェクトとしてコンテンツ・オブジェクト・フォルダ１２１に格納されていてもよい。また、最初はプッシュ型配信に従ってダウンロードされるが、次回以降はスクリプト等によりプル型配信に従ってダウンロードされるプッシュ／プル型コンテンツ・オブジェクトが待受画面を構成するコンテンツ・オブジェクトとしてコンテンツ・オブジェクト・フォルダ１２１に格納されていてもよい。
【０１４０】
プッシュ型コンテンツ・オブジェクトは、最初に管理サーバ１０２主導で自動的にダウンロードされ、プッシュ型コンテンツ・オブジェクト・サーバ１０１で更新された場合にも管理サーバ１０２主導で自動的にダウンロードされる。
【０１４１】
また、プッシュ／プル型コンテンツ・オブジェクトは、最初のみ管理サーバ１０２主導でダウンロードされ、次回以降は、スクリプトに従って、ブラウザ１２９により、プル型コンテンツ・オブジェクト・サーバ１０５からダウンロードされる。
【０１４２】
電子文書には、コンテンツ・オブジェクト・フォルダ１２１に格納されたコンテンツ・オブジェクトのコンテンツ・オブジェクト・フォルダ１２１における位置が記述されているが、ダウンロード先が記述されていない。これは、プル型コンテンツ・オブジェクトのみならず、プル型コンテンツ・オブジェクトにもあてはまる。従って、コンテンツ・オブジェクト・フォルダ１２１に格納されたプル型コンテンツ・オブジェクトは、そのダウンロード先を把握しているプル型コンテンツ・オブジェクト・ダウンロード部１３３又はダウンロード先の指定を含むスクリプトを実行するブラウザ１２９によりダウンロードされる。
【０１４３】
プッシュ型コンテンツ・オブジェクトから置き換えられた非ダウンロード型コンテンツ・オブジェクトは、プッシュ型コンテンツ・オブジェクトと同一の識別情報を有するので、そのままでは、管理サーバ１０２主導で自動的にプッシュ型コンテンツ・オブジェクト・サーバ１０１にあるプッシュ型コンテンツ・オブジェクトに更新されてしまう。これを防ぐためには、上述したように、自動更新が禁止されたサブ・フォルダに非ダウンロード型コンテンツ・オブジェクトを格納したり、自動更新禁止のための情報を各コンテンツ・オブジェクト毎に端末が保持し、プッシュ型コンテンツ・オブジェクト・ダウンロード部１２５がこれを参照したりする。
【０１４４】
追加された非ダウンロード型コンテンツ・オブジェクト（管理サーバ１０２が把握していない非ダウンロード型コンテンツ・オブジェクト）は、特に、ダウンロード禁止のための対策をしなくても、自動的にダウンロードされたコンテンツ・オブジェクトにより更新されてしまうようなことはない。
【０１４５】
機能メニュー画面を構成するコンテンツ・オブジェクトの種類とこれに対する処理は、待受画面を構成するコンテンツ・オブジェクトの場合と同様であるので、説明を省略する。
【０１４６】
［ＷＥＢメニュー画面を構成するコンテンツ・オブジェクト］
ＷＥＢメニュー画面を構成するコンテンツ・オブジェクトは、電子文書、ＣＳＳ、画像（静止画又は動画）、音声、テキスト、スクリプトを含む。これらのコンテンツは、全てコンテンツ・オブジェクト・フォルダ１２１に格納されてもよい。この場合には、コンテンツ・オブジェクトは、ＷＥＢメニュー画面のフレームワークを構成する電子文書において、コンテンツ・オブジェクト・フォルダ１２１の識別情報とコンテンツ・オブジェクトの識別情報により存在場所が記述される。また、特に、コンテンツ・オブジェクト・フォルダ１２１に格納されたプッシュ型コンテンツ・オブジェクトであれば、管理サーバ１０２主導のプッシュ型配信に従ったダウンロードの対象となる。
【０１４７】
しかし、ＷＥＢメニュー画面を構成するコンテンツ・オブジェクトのうちの、端末が圏外に存在する時に、ダウンロードできなくてもよいコンテンツ・オブジェクトは、コンテンツ・オブジェクト・フォルダ１２１に格納されたプッシュ型コンテンツ・オブジェクトである必要はなく、その代わりに、ＷＥＢメニュー画面の表示が要求される度にダウンロードされてもよい。また、ＷＥＢメニュー画面の表示が要求される度にダウンロードされる代わりに、キャッシュ・メモリ１３１に一時記憶され、上述したアップデート方法により、適宜、アップデートされるようにしてもよい。このようなコンテンツ・オブジェクトは、ＷＥＢメニュー画面のフレームワークを構成する電子文書において、プル型コンテンツ・オブジェクト・サーバ１０５のサーバドメイン名を含むＵＲＬにより存在場所が記述される。また、ＷＥＢメニュー画面のフレームワークを構成する電子文書自体がプル型コンテンツ・オブジェクトであってもよく、この場合には、電子文書は、プル型コンテンツ・オブジェクト・サーバ１０５のサーバドメイン名を含むＵＲＬにより存在場所が記述される。
【０１４８】
但し、ＷＥＢメニュー画面を構成するコンテンツ・オブジェクトのうちの、端末が圏外に存在する時に、ダウンロードできなくてもよいコンテンツ・オブジェクトであっても、大容量のコンテンツ・オブジェクトは、コンテンツ・オブジェクト・フォルダ１２１に格納されるプッシュ型コンテンツ・オブジェクトとするのが好ましい。こうすることにより、ＷＥＢメニュー画面の表示が要求される前に大容量のコンテンツ・オブジェクトがコンテンツ・オブジェクト・フォルダ１２１に格納され、ＷＥＢメニュー画面の表示が要求された時に、即座にそのコンテンツ・オブジェクトに基づいてＷＥＢメニュー画面の表示を行なうことが可能となる。このようなコンテンツ・オブジェクトは、ＷＥＢメニュー画面のフレームワークを構成する電子文書において、コンテンツ・オブジェクト・フォルダ１２１の識別情報とコンテンツ・オブジェクトの識別情報により記述される。
【０１４９】
なお、図１に示す各部が行なう上述した全ての方法は、コンピュータにそのような方法を実行させるためのプログラムをコンピュータが読み込んで実行することによっても実現することができる。
【図面の簡単な説明】
【０１５０】
【図１】本発明の実施形態による画面表示システムの構成を示すブロック図である。
【図２】本発明の実施形態によるプッシュ型配信に従ったプッシュ型コンテンツ・オブジェクトのダウンロード方法を示すシーケンス図である。
【図３】本発明の実施形態によるプル型配信に従ったプル型コンテンツ・オブジェクトのダウンロード方法を示すシーケンス図である。
【符号の説明】
【０１５１】
１０１  プッシュ型コンテンツ・オブジェクト・サーバ
１０２  管理サーバ
１０３  プッシュ・プロキシ・ゲートウェイ
１０５  プル型コンテンツ・オブジェクト・サーバ
１０７  端末
１２１  コンテンツ・オブジェクト・フォルダ
１２３  ＷＡＰ受信部
１２５  プッシュ型コンテンツ・オブジェクト・ダウンロード部
１２７  ユーザ・インターフェース
１２９  ブラウザ
１３１  キャッシュ・メモリ
１３３  プル型コンテンツ・オブジェクト・ダウンロード部
１３５  デジタル著作権管理部
１３７  非ダウンロード型コンテンツ・オブジェクト入力部
【図１】
2007172044.tif 000003
【図２】
2007172044.tif 000004
【図３】
2007172044.tif 000005